(57)【要約】基地局と通信を行う端末において、第１の拡張物理下りリンク制御チャネル物理リソースブロックセットにおいて物理下りリンク制御チャネルをモニタリングするに際し、物理下りリンク制御チャネルが所定の参照信号に基づいてレートマッチングされているものとして、物理下りリンク制御チャネルを復号し、第２の拡張物理下りリンク制御チャネル物理リソースブロックセットにおいて物理下りリンク制御チャネルをモニタリングするに際し、物理下りリンク制御チャネルが端末毎に個別に設定される参照信号に基づいてレートマッチングされているものとして、物理下りリンク制御チャネルを復号する。
2014136682.tif 000002
【特許請求の範囲】
【請求項１】
セルにおいて、基地局と通信を行う端末であって、
第１の拡張物理下りリンク制御チャネル物理リソースブロックセットおよび第２の拡張物理下りリンク制御チャネル物理リソースブロックセットにおいて拡張物理下りリンク制御チャネルをモニタリングする下りリンク制御チャネル検出部を有し、
前記下りリンク制御チャネル検出部は、前記第１の拡張物理下りリンク制御チャネル物理リソースブロックセットにおいて前記物理下りリンク制御チャネルをモニタリングするに際し、前記物理下りリンク制御チャネルが所定の参照信号に基づいてレートマッチングされているものとして、前記物理下りリンク制御チャネルを復号し、前記第２の拡張物理下りリンク制御チャネル物理リソースブロックセットにおいて前記物理下りリンク制御チャネルをモニタリングするに際し、前記物理下りリンク制御チャネルが端末毎に個別に設定される参照信号に基づいてレートマッチングされているものとして、前記物理下りリンク制御チャネルを復号する端末。
【請求項２】
前記第１の拡張物理下りリンク制御チャネル物理リソースブロックセットにおける探索領域は、ページング識別子によりスクランブルされたＣＲＣが付加された前記物理下りリンク制御チャネルがモニタリングされる探索領域であり、前記第２の拡張物理下りリンク制御チャネル物理リソースブロックセットにおける探索領域は、前記ページング識別子によりスクランブルされたＣＲＣが付加された前記物理下りリンク制御チャネルがモニタリングされない探索領域である請求項１に記載の端末。
【請求項３】
前記所定の参照信号は、前記セルにおける物理報知チャネルと一緒に送信されるセル固有参照信号である請求項１に記載の端末。
【請求項４】
前記所定の参照信号とは、参照信号が無い状態である請求項１に記載の端末。
【請求項５】
セルにおいて、端末と通信を行う基地局であって、
拡張物理下りリンク制御チャネルを第１の拡張物理下りリンク制御チャネル物理リソースブロックセットまたは第２の拡張物理下りリンク制御チャネル物理リソースブロックセットに配置して、前記端末に通知する物理制御情報通知部を有し、
前記物理制御情報通知部は、前記第１の拡張物理下りリンク制御チャネル物理リソースブロックセットにおいて前記物理下りリンク制御チャネルを配置するに際し、前記物理下りリンク制御チャネルが所定の参照信号に基づいてレートマッチングされているものとして配置し、前記第２の拡張物理下りリンク制御チャネル物理リソースブロックセットにおいて前記物理下りリンク制御チャネルを配置するに際し、前記物理下りリンク制御チャネルが端末毎に個別に設定される参照信号に基づいてレートマッチングされているものとして配置する基地局。
【請求項６】
前記第１の拡張物理下りリンク制御チャネル物理リソースブロックセットにおける探索領域は、ページング識別子によりスクランブルされたＣＲＣが付加された前記物理下りリンク制御チャネルがモニタリングされる探索領域であり、前記第２の拡張物理下りリンク制御チャネル物理リソースブロックセットにおける探索領域は、前記ページング識別子によりスクランブルされたＣＲＣが付加された前記物理下りリンク制御チャネルがモニタリングされない探索領域である請求項５に記載の基地局。
【請求項７】
前記所定の参照信号は、前記セルにおける物理報知チャネルと一緒に送信されるセル固有参照信号である請求項５に記載の基地局。
【請求項８】
前記所定の参照信号とは、参照信号が無い状態である請求項５に記載の基地局。
【請求項９】
セルにおいて、基地局と端末とが通信する通信システムであって、
前記基地局は、
拡張物理下りリンク制御チャネルを第１の拡張物理下りリンク制御チャネル物理リソースブロックセットまたは第２の拡張物理下りリンク制御チャネル物理リソースブロックセットに配置して、前記端末に通知する物理制御情報通知部を有し、
前記物理制御情報通知部は、前記第１の拡張物理下りリンク制御チャネル物理リソースブロックセットにおいて前記物理下りリンク制御チャネルを配置するに際し、前記物理下りリンク制御チャネルが所定の参照信号に基づいてレートマッチングされているものとして配置し、前記第２の拡張物理下りリンク制御チャネル物理リソースブロックセットにおいて前記物理下りリンク制御チャネルを配置するに際し、前記物理下りリンク制御チャネルが端末毎に個別に設定される参照信号に基づいてレートマッチングされているものとして配置し、
前記端末は、
前記第１の拡張物理下りリンク制御チャネル物理リソースブロックセットおよび前記第２の拡張物理下りリンク制御チャネル物理リソースブロックセットにおいて前記拡張物理下りリンク制御チャネルをモニタリングする下りリンク制御チャネル検出部を有し、
前記下りリンク制御チャネル検出部は、前記第１の拡張物理下りリンク制御チャネル物理リソースブロックセットにおいて前記物理下りリンク制御チャネルをモニタリングするに際し、前記物理下りリンク制御チャネルが所定の参照信号に基づいてレートマッチングされているものとして、前記物理下りリンク制御チャネルを復号し、前記第２の拡張物理下りリンク制御チャネル物理リソースブロックセットにおいて前記物理下りリンク制御チャネルをモニタリングするに際し、前記物理下りリンク制御チャネルが端末毎に個別に設定される参照信号に基づいてレートマッチングされているものとして、前記物理下りリンク制御チャネルを復号する通信システム。
【請求項１０】
セルにおいて、基地局と通信を行う端末における通信方法であって、
第１の拡張物理下りリンク制御チャネル物理リソースブロックセットおよび第２の拡張物理下りリンク制御チャネル物理リソースブロックセットにおいて拡張物理下りリンク制御チャネルをモニタリングするステップを有し、
前記ステップにおいて、前記第１の拡張物理下りリンク制御チャネル物理リソースブロックセットにおいて前記物理下りリンク制御チャネルをモニタリングするに際し、前記物理下りリンク制御チャネルが所定の参照信号に基づいてレートマッチングされているものとして、前記物理下りリンク制御チャネルを復号し、前記第２の拡張物理下りリンク制御チャネル物理リソースブロックセットにおいて前記物理下りリンク制御チャネルをモニタリングするに際し、前記物理下りリンク制御チャネルが端末毎に個別に設定される参照信号に基づいてレートマッチングされているものとして、前記物理下りリンク制御チャネルを復号する通信方法。
【請求項１１】
セルにおいて、端末と通信を行う基地局における通信方法であって、
拡張物理下りリンク制御チャネルを第１の拡張物理下りリンク制御チャネル物理リソースブロックセットまたは第２の拡張物理下りリンク制御チャネル物理リソースブロックセットに配置して、前記端末に通知するステップを有し、
前記ステップにおいて、前記第１の拡張物理下りリンク制御チャネル物理リソースブロックセットにおいて前記物理下りリンク制御チャネルを配置するに際し、前記物理下りリンク制御チャネルが所定の参照信号に基づいてレートマッチングされているものとして配置し、前記第２の拡張物理下りリンク制御チャネル物理リソースブロックセットにおいて前記物理下りリンク制御チャネルを配置するに際し、前記物理下りリンク制御チャネルが端末毎に個別に設定される参照信号に基づいてレートマッチングされているものとして配置する通信方法。
【発明の詳細な説明】
【技術分野】
【０００１】
本発明は、端末、基地局、通信システムおよび通信方法に関する。
【背景技術】
【０００２】
３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）によるＬＴＥ（Ｌｏｎｇ  Ｔｅｒｍ  Ｅｖｏｌｕｔｉｏｎ）、ＬＴＥ−Ａ（ＬＴＥ−Ａｄｖａｎｃｅｄ）やＩＥＥＥ（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  ｅｎｇｉｎｅｅｒｓ）によるＷｉｒｅｌｅｓｓ  ＬＡＮ、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）のような無線通信システムでは、基地局（基地局装置、下りリンク送信装置、上りリンク受信装置、ｅＮｏｄｅＢ）および端末（端末装置、移動局装置、下りリンク受信装置、上りリンク送信装置、ＵＥ）は、複数の送受信アンテナをそれぞれ備え、ＭＩＭＯ（Ｍｕｌｔｉ  Ｉｎｐｕｔ  Ｍｕｌｔｉ  Ｏｕｔｐｕｔ）技術を用いることにより、データ信号を空間多重し、高速なデータ通信を実現する。また、特に、ＬＴＥおよびＬＴＥ−Ａでは、下りリンクでＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式を用いて高い周波数利用効率を実現するとともに、上りリンクでＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）方式を用いてピーク電力を抑制している。さらに、自動再送要求ＡＲＱ（Ａｕｔｏｍａｔｉｃ  Ｒｅｐｅａｔ  ｒｅＱｕｅｓｔ）と誤り訂正符号とを組み合わせたＨＡＲＱ（Ｈｙｂｒｉｄ  ＡＲＱ）が採用されている。【０００３】
図２３は、ＨＡＲＱを行うＬＴＥの通信システム構成を示す図である。図２３では、基地局２３０１は端末２３０２に、物理下りリンク制御チャネル（ＰＤＣＣＨ：Ｐｙｓｉｃａｌ  Ｄｏｗｎｌｉｎｋ  Ｃｏｎｔｒｏｌ  ＣＨａｎｎｅｌ）２３０３を介して、下りリンク送信データ２３０４に関する制御情報の通知を行う。端末２３０２は、まず収容セルの情報を用いて制御情報の検出を行い、検出された場合に、検出された制御情報を用いて下りリンク送信データ２３０４を抽出する。制御情報を検出した端末２３０２は、物理上りリンク制御チャネル（ＰＵＣＣＨ：Ｐｙｓｉｃａｌ  Ｕｐｌｉｎｋ  Ｃｏｎｔｒｏｌ  ＣＨａｎｎｅｌ）２３０５を介して、下りリンク送信データ２３０４抽出の成否を示すＨＡＲＱ応答情報を基地局２３０１に報告する。このとき、端末２３０２が利用可能なＰＵＣＣＨ２３０５のリソース（ＰＵＣＣＨリソース）は、制御情報が割り当てられていたＰＤＣＣＨ２３０３のリソースから黙示的／暗示的に一意に決まるようになっている。これにより、端末２３０２がＨＡＲＱ応答情報を報告するに際して、動的に割り当てられたＰＵＣＣＨリソースを用いることができる。また、端末間でＰＵＣＣＨリソースが重複しないようにすることができる（非特許文献１、非特許文献２）。
【先行技術文献】
【非特許文献】
【０００４】
【非特許文献１】３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；  Ｐｈｙｓｉｃａｌ  Ｃｈａｎｎｅｌｓ  ａｎｄ  Ｍｏｄｕｌａｔｉｏｎ  （Ｒｅｌｅａｓｅ  １０）、２０１２年１２月、３ＧＰＰ  ＴＳ  ３６．２１１  Ｖ１１．１．０  （２０１２−１２）。
【非特許文献２】３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；  Ｐｈｙｓｉｃａｌ  ｌａｙｅｒ  ｐｒｏｃｅｄｕｒｅｓ  （Ｒｅｌｅａｓｅ  １０）、２０１２年１２月、３ＧＰＰ  ＴＳ  ３６．２１３  Ｖ１１．１．０  （２０１２−１２）。
【発明の概要】
【発明が解決しようとする課題】
【０００５】
しかしながら、無線通信システムにおいて、１つの基地局が収容できる端末の数を増加するために、物理下りリンク制御チャネルだけでなく、拡張された物理下りリンク制御チャネルを用いることが考えられる。そのため、従来の物理下りリンク制御チャネルで制御情報の送受信方法では、拡張された物理下りリンク制御チャネルで制御情報を送受信する場合に送受信パラメータの設定が基地局と端末間で共有することができず、伝送効率の向上が妨げられる要因となる。【０００６】
本発明は、上記問題を鑑みてなされたものであり、その目的は、基地局と端末が通信する無線通信システムにおいて、基地局が端末に対する制御情報を、物理下りリンク制御チャネルだけでなく、拡張された物理下りリンク制御チャネルを介して通知する場合においても、効率的に送受信パラメータの設定を行うことができる基地局、端末、通信システムおよび通信方法を提供することにある。
【課題を解決するための手段】
【０００７】
（１）この発明は上述した課題を解決するためになされたもので、本発明の一態様による端末は、セルにおいて、基地局と通信を行う端末であって、第１の拡張物理下りリンク制御チャネル物理リソースブロックセットおよび第２の拡張物理下りリンク制御チャネル物理リソースブロックセットにおいて拡張物理下りリンク制御チャネルをモニタリングする下りリンク制御チャネル検出部を有し、下りリンク制御チャネル検出部は、第１の拡張物理下りリンク制御チャネル物理リソースブロックセットにおいて物理下りリンク制御チャネルをモニタリングするに際し、物理下りリンク制御チャネルが所定の参照信号に基づいてレートマッチングされているものとして、物理下りリンク制御チャネルを復号し、第２の拡張物理下りリンク制御チャネル物理リソースブロックセットにおいて物理下りリンク制御チャネルをモニタリングするに際し、物理下りリンク制御チャネルが端末毎に個別に設定される参照信号に基づいてレートマッチングされているものとして、物理下りリンク制御チャネルを復号することを特徴とする。【０００８】
（２）また、本発明の一態様による端末は上記の端末であって、第１の拡張物理下りリンク制御チャネル物理リソースブロックセットにおける探索領域は、ページング識別子によりスクランブルされたＣＲＣが付加された物理下りリンク制御チャネルがモニタリングされる探索領域であり、第２の拡張物理下りリンク制御チャネル物理リソースブロックセットにおける探索領域は、ページング識別子によりスクランブルされたＣＲＣが付加された物理下りリンク制御チャネルがモニタリングされない探索領域であることを特徴とする。【０００９】
（３）また、本発明の一態様による端末は上記の端末であって、所定の参照信号は、セルにおける物理報知チャネルと一緒に送信されるセル固有参照信号であることを特徴とする。【００１０】
（４）また、本発明の一態様による端末は上記の端末であって、所定の参照信号とは、参照信号が無い状態であることを特徴とする。【００１１】
（５）また、本発明の一態様による基地局は、セルにおいて、端末と通信を行う基地局であって、拡張物理下りリンク制御チャネルを第１の拡張物理下りリンク制御チャネル物理リソースブロックセットまたは第２の拡張物理下りリンク制御チャネル物理リソースブロックセットに配置して、端末に通知する物理制御情報通知部を有し、物理制御情報通知部は、第１の拡張物理下りリンク制御チャネル物理リソースブロックセットにおいて物理下りリンク制御チャネルを配置するに際し、物理下りリンク制御チャネルが所定の参照信号に基づいてレートマッチングされているものとして配置し、第２の拡張物理下りリンク制御チャネル物理リソースブロックセットにおいて物理下りリンク制御チャネルを配置するに際し、物理下りリンク制御チャネルが端末毎に個別に設定される参照信号に基づいてレートマッチングされているものとして配置することを特徴とする。【００１２】
（６）また、本発明の一態様による基地局は上記の基地局であって、第１の拡張物理下りリンク制御チャネル物理リソースブロックセットにおける探索領域は、ページング識別子によりスクランブルされたＣＲＣが付加された物理下りリンク制御チャネルがモニタリングされる探索領域であり、第２の拡張物理下りリンク制御チャネル物理リソースブロックセットにおける探索領域は、ページング識別子によりスクランブルされたＣＲＣが付加された物理下りリンク制御チャネルがモニタリングされない探索領域であることを特徴とする。【００１３】
（７）また、本発明の一態様による基地局は上記の基地局であって、所定の参照信号は、セルにおける物理報知チャネルと一緒に送信されるセル固有参照信号であることを特徴とする。【００１４】
（８）また、本発明の一態様による基地局は上記の基地局であって、所定の参照信号とは、参照信号が無い状態であることを特徴とする。【００１５】
（９）また、本発明の一態様による通信システムは、セルにおいて、基地局と端末とが通信する通信システムであって、基地局は、拡張物理下りリンク制御チャネルを第１の拡張物理下りリンク制御チャネル物理リソースブロックセットまたは第２の拡張物理下りリンク制御チャネル物理リソースブロックセットに配置して、端末に通知する物理制御情報通知部を有し、物理制御情報通知部は、第１の拡張物理下りリンク制御チャネル物理リソースブロックセットにおいて物理下りリンク制御チャネルを配置するに際し、物理下りリンク制御チャネルが所定の参照信号に基づいてレートマッチングされているものとして配置し、第２の拡張物理下りリンク制御チャネル物理リソースブロックセットにおいて物理下りリンク制御チャネルを配置するに際し、物理下りリンク制御チャネルが端末毎に個別に設定される参照信号に基づいてレートマッチングされているものとして配置し、端末は、第１の拡張物理下りリンク制御チャネル物理リソースブロックセットおよび第２の拡張物理下りリンク制御チャネル物理リソースブロックセットにおいて拡張物理下りリンク制御チャネルをモニタリングする下りリンク制御チャネル検出部を有し、下りリンク制御チャネル検出部は、第１の拡張物理下りリンク制御チャネル物理リソースブロックセットにおいて物理下りリンク制御チャネルをモニタリングするに際し、物理下りリンク制御チャネルが所定の参照信号に基づいてレートマッチングされているものとして、物理下りリンク制御チャネルを復号し、第２の拡張物理下りリンク制御チャネル物理リソースブロックセットにおいて物理下りリンク制御チャネルをモニタリングするに際し、物理下りリンク制御チャネルが端末毎に個別に設定される参照信号に基づいてレートマッチングされているものとして、物理下りリンク制御チャネルを復号することを特徴とする。【００１６】
（１０）また、本発明の一態様による通信方法は、セルにおいて、基地局と通信を行う端末における通信方法であって、第１の拡張物理下りリンク制御チャネル物理リソースブロックセットおよび第２の拡張物理下りリンク制御チャネル物理リソースブロックセットにおいて拡張物理下りリンク制御チャネルをモニタリングするステップを有し、ステップにおいて、第１の拡張物理下りリンク制御チャネル物理リソースブロックセットにおいて物理下りリンク制御チャネルをモニタリングするに際し、物理下りリンク制御チャネルが所定の参照信号に基づいてレートマッチングされているものとして、物理下りリンク制御チャネルを復号し、第２の拡張物理下りリンク制御チャネル物理リソースブロックセットにおいて物理下りリンク制御チャネルをモニタリングするに際し、物理下りリンク制御チャネルが端末毎に個別に設定される参照信号に基づいてレートマッチングされているものとして、物理下りリンク制御チャネルを復号することを特徴とする。【００１７】
（１１）また、本発明の一態様による通信方法は、セルにおいて、端末と通信を行う基地局における通信方法であって、拡張物理下りリンク制御チャネルを第１の拡張物理下りリンク制御チャネル物理リソースブロックセットまたは第２の拡張物理下りリンク制御チャネル物理リソースブロックセットに配置して、端末に通知するステップを有し、ステップにおいて、第１の拡張物理下りリンク制御チャネル物理リソースブロックセットにおいて物理下りリンク制御チャネルを配置するに際し、物理下りリンク制御チャネルが所定の参照信号に基づいてレートマッチングされているものとして配置し、第２の拡張物理下りリンク制御チャネル物理リソースブロックセットにおいて物理下りリンク制御チャネルを配置するに際し、物理下りリンク制御チャネルが端末毎に個別に設定される参照信号に基づいてレートマッチングされているものとして配置することを特徴とする。
【発明の効果】
【００１８】
この発明によれば、基地局と端末が通信する無線通信システムにおいて、基地局が端末に対する制御情報を、物理下りリンク制御チャネルだけでなく、拡張された物理下りリンク制御チャネルを介して通知する場合においても、効率的に送受信パラメータの設定を行うことができる。
【図面の簡単な説明】
【００１９】
【図１】本発明の第１の実施形態に係る通信システム構成例を示す図である。
【図２】同実施形態に係る下りリンクの無線フレーム構成の一例を示す図である。
【図３】同実施形態に係る上りリンクの無線フレーム構成の一例を示す図である。
【図４】同実施形態に係る基地局のブロック構成の一例を示す概略図である。
【図５】同実施形態に係る端末のブロック構成の一例を示す概略図である。
【図６】同実施形態に係るＰＵＣＣＨが割り当てられる上りリンク制御チャネル領域における物理上りリソースブロック構成を示す図である。
【図７】同実施形態に係る上りリンク制御チャネル論理リソースを示す対応表である。
【図８】同実施形態に係るＰＤＣＣＨ領域、およびＰＤＳＣＨ領域における物理リソースブロックＰＲＢを示す図である。
【図９】同実施形態に係るＥＰＤＣＣＨのマッピングの一例を示す図である。
【図１０】同実施形態に係るＥＰＤＣＣＨのマッピングの他の一例を示す図である。
【図１１】同実施形態に係るＥＰＤＣＣＨ構成要素を示す図である。
【図１２】同実施形態に係るアグリゲーションレベルの一例を示す図である。
【図１３】同実施形態に係るＥＰＤＣＣＨセットの一例を示す図である。
【図１４】同実施形態に係る下りリンクグラントとレートマッチングで考慮されるＣＲＳの一例を示す図である。
【図１５】同実施形態に係る下りリンクグラントとＥＰＤＣＣＨの開始位置の一例を示す図である。
【図１６】同実施形態に係る下りリンクグラントとレートマッチングで考慮されるＺＰ−ＣＳＩＲＳの一例を示す図である。
【図１７】同実施形態に係る下りリンクグラントとＤＭＲＳ擬似コロケーションの一例を示す図である。
【図１８】同実施形態に係る下りリンクグラントとＤＭＲＳスクランブリング系列の一例を示す図である。
【図１９】同実施形態に係る下りリンクグラントとＰＵＣＣＨリソースの割り当ての一例を示す図である。
【図２０】同実施形態に係る下りリンクデータ送信およびその応答手続きの流れの一例を示す図である。
【図２１】同実施形態に係るＡＲＯフィールドとＡＲＯフィールドで示されるオフセット値との対応の一例を示す図である。
【図２２】同実施形態に係る下りリンクデータ送信およびその応答手続きの流れの他の一例を示す図である。
【図２３】通信システム構成例を示す図である。
【発明を実施するための形態】
【００２０】
（第１の実施形態）
以下、本発明の第１の実施形態について説明する。本第１の実施形態における通信システムは、基地局（基地局装置、下りリンク送信装置、上りリンク受信装置、ｅＮｏｄｅＢ）および端末（端末装置、移動局装置、下りリンク受信装置、上りリンク送信装置、ユーザ装置（ＵＥ：Ｕｓｅｒ  Ｅｑｕｉｐｍｅｎｔ））を備える。
【００２１】
図１は、第１の実施形態に係る通信システム構成例を示す図である。図１では、基地局１０１は端末１０２に、ＰＤＣＣＨおよび／または拡張された物理下りリンク制御チャネル（ＥＰＤＣＣＨ：Ｅｎｈａｎｃｅｄ  ＰＤＣＣＨ）１０３を介して、下りリンク送信データ１０４に関する制御情報の通知を行う。端末１０２は、まず制御情報の検出を行い、検出された場合に、検出された制御情報を用いて下りリンク送信データ１０４を抽出する。制御情報を検出した端末１０２は、ＰＵＣＣＨを介して、下りリンク送信データ１０４抽出の成否を示すＨＡＲＱ応答情報（「Ａｃｋ／Ｎａｃｋ」あるいは「ＨＡＲＱ−ＡＣＫ」とも称す）を基地局１０１に報告する。このとき、端末１０２がＰＤＣＣＨにおいて制御情報を検出した場合、端末１０２が利用可能な物理上りリンク制御チャネル（ＰＵＣＣＨ）１０５のリソースは、制御情報が割り当てられていたＰＤＣＣＨのリソースから黙示的／暗示的に一意に決まるようになっている。また、端末１０２がＥＰＤＣＣＨ１０３において制御情報を検出した場合、端末１０２が利用可能なＰＵＣＣＨ１０５のリソースは、制御情報が割り当てられていたＥＰＤＣＣＨ１０３のリソースから黙示的／暗示的に一意に決まるようになっている。
【００２２】
図２は、本実施形態に係る下りリンクの無線フレーム構成の一例を示す図である。下りリンクはＯＦＤＭアクセス方式が用いられる。下りリンクでは、ＰＤＣＣＨ、ＥＰＤＣＣＨ、物理下りリンク共用チャネル（ＰＤＳＣＨ；Ｐｈｙｓｉｃａｌ  Ｄｏｗｎｌｉｎｋ  Ｓｈａｒｅｄ  ＣＨａｎｎｅｌ）などが割り当てられる。下りリンクの無線フレームは、下りリンクのリソースブロック（ＲＢ；Ｒｅｓｏｕｒｃｅ  Ｂｌｏｃｋ）ペアから構成されている。この下りリンクのＲＢペアは、下りリンクの無線リソースの割り当てなどの単位であり、予め決められた幅の周波数帯（ＲＢ帯域幅）及び時間帯（２個のスロット＝１個のサブフレーム）からなる。１個の下りリンクのＲＢペアは、時間領域で連続する２個の下りリンクのＲＢ（ＲＢ帯域幅×スロット）から構成される。１個の下りリンクのＲＢは、周波数領域において１２個のサブキャリアから構成さる。また、時間領域においては、通常のサイクリックプレフィッスが付加される場合には７個、通常よりも長いサイクリックプレフィッスが付加される場合には６個のＯＦＤＭシンボルから構成される。周波数領域において１つのサブキャリア、時間領域において１つのＯＦＤＭシンボルにより規定される領域をリソースエレメント（ＲＥ；Ｒｅｓｏｕｒｃｅ  Ｅｌｅｍｅｎｔ）と称する。物理下りリンク制御チャネルは、端末装置識別子、物理下りリンク共用チャネルのスケジューリング情報、物理上りリンク共用チャネルのスケジューリング情報、変調方式、符号化率、再送パラメータなどの下りリンク制御情報が送信される物理チャネルである。なお、ここでは一つの要素キャリア（ＣＣ；Ｃｏｍｐｏｎｅｎｔ  Ｃａｒｒｉｅｒ）における下りリンクサブフレームを記載しているが、ＣＣ毎に下りリンクサブフレームが規定され、下りリンクサブフレームはＣＣ間でほぼ同期している。
【００２３】
なお、ここでは図示していないが、下りリンクサブフレームには、参照信号（ＲＳ：Ｒｅｆｅｒｅｎｃｅ  Ｓｉｇｎａｌ）が配置されてもよい。参照信号としては、ＰＤＣＣＨと同じ送信ポートで送信されるセル固有参照信号（ＣＲＳ：Ｃｅｌｌ−ｓｐｅｃｉｆｉｃ  ＲＳ）、チャネル状態情報（ＣＳＩ：Ｃｈａｎｎｅｌ  Ｓｔａｔｅ  Ｉｎｆｏｒｍａｔｉｏｎ）の測定に用いられるチャネル状態情報参照信号（ＣＳＩＲＳ）、一部のＰＤＳＣＨと同じ送信ポートで送信される端末固有参照信号（ＵＥＲＳ：ＵＥ−ｓｐｅｃｉｆｉｃ  ＲＳ）、ＥＰＤＣＣＨと同じ送信ポートで送信される復調用参照信号（ＤＭＲＳ：Ｄｅｍｏｄｕｌａｔｉｏｎ  ＲＳ）などがある。また、ＣＲＳが配置されないキャリアであってもよい。このとき一部のサブフレーム（例えば、無線フレーム中の１番目と６番目のサブフレーム）に、時間および／または周波数のトラッキング用の信号として、ＣＲＳの一部の送信ポート（例えば送信ポート０だけ）あるいは全部の送信ポートに対応する信号と同様の信号（拡張同期信号と呼称する）を挿入することができる。
【００２４】
図３は、本実施形態に係る上りリンクの無線フレーム構成の一例を示す図である。上りリンクはＳＣ−ＦＤＭＡ方式が用いられる。上りリンクでは、物理上りリンク共用チャネル（Ｐｈｙｓｉｃａｌ  Ｕｐｌｉｎｋ  Ｓｈａｒｅｄ  Ｃｈａｎｎｅｌ；ＰＵＳＣＨ）、ＰＵＣＣＨなどが割り当てられる。また、ＰＵＳＣＨやＰＵＣＣＨの一部に、上りリンク参照信号が割り当てられる。上りリンクの無線フレームは、上りリンクのＲＢペアから構成されている。この上りリンクのＲＢペアは、上りリンクの無線リソースの割り当てなどの単位であり、予め決められた幅の周波数帯（ＲＢ帯域幅）及び時間帯（２個のスロット＝１個のサブフレーム）からなる。１個の上りリンクのＲＢペアは、時間領域で連続する２個の上りリンクのＲＢ（ＲＢ帯域幅×スロット）から構成される。１個の上りリンクのＲＢは、周波数領域において１２個のサブキャリアから構成される。時間領域においては、通常のサイクリックプレフィッスが付加される場合には７個、通常よりも長いサイクリックプレフィッスが付加される場合には６個のＳＣ−ＦＤＭＡシンボルから構成される。なお、ここでは一つのＣＣにおける上りリンクサブフレームを記載しているが、ＣＣ毎に上りリンクサブフレームが規定される。
【００２５】
図４は、本実施形態に係る基地局１０１のブロック構成の一例を示す概略図である。基地局１０１は、コードワード生成部４０１、下りリンクサブフレーム生成部４０２、ＯＦＤＭ信号送信部（物理制御情報通知部）４０４、送信アンテナ（基地局送信アンテナ）４０５、受信アンテナ（基地局受信アンテナ）４０６、ＳＣ−ＦＤＭＡ信号受信部（応答情報受信部）４０７、上りリンクサブフレーム処理部４０８、上位層（上位層制御情報通知部）４１０を有する。下りリンクサブフレーム生成部４０２は、物理下りリンク制御チャネル生成部４０３を有する。また、上りリンクサブフレーム処理部４０８は、物理上りリンク制御チャネル抽出部４０９を有する。
【００２６】
図５は、本実施形態に係る端末１０２のブロック構成の一例を示す概略図である。端末１０２は、受信アンテナ（端末受信アンテナ）５０１、ＯＦＤＭ信号受信部（下りリンク受信部）５０２、下りリンクサブフレーム処理部５０３、コードワード抽出部（データ抽出部）５０５、上位層（上位層制御情報取得部）５０６、応答情報生成部５０７、上りリンクサブフレーム生成部５０８、ＳＣ−ＦＤＭＡ信号送信部（応答送信部）５１０、送信アンテナ（端末送信アンテナ）５１１を有する。下りリンクサブフレーム処理部５０３は、物理下りリンク制御チャネル抽出部（下りリンク制御チャネル検出部）５０４を有する。また、上りリンクサブフレーム生成部５０８は、物理上りリンク制御チャネル生成部（上りリンク制御チャネル生成部）５０９を有する。
【００２７】
まず、図４および図５を用いて、下りリンクデータの送受信の流れについて説明する。基地局１０１では、上位層４１０から送られてくる送信データ（トランスポートブロックとも称す）は、コードワード生成部４０１において、誤り訂正符号化、レートマッチング処理などの処理が施され、コードワードが生成される。１つのセルにおける１つのサブフレームにおいて、最大２つのコードワードが同時に送信される。下りリンクサブフレーム生成部４０２では、上位層４１０の指示により、下りリンクサブフレームが生成される。まず、コードワード生成部４０１において生成されたコードワードは、ＰＳＫ（Ｐｈａｓｅ  Ｓｈｉｆｔ  Ｋｅｙｉｎｇ）変調やＱＡＭ（Ｑｕａｄｒａｔｕｒｅ  Ａｍｐｌｉｔｕｄｅ  Ｍｏｄｕｌａｔｉｏｎ）変調などの変調処理により、変調シンボル系列に変換される。また、変調シンボル系列は、一部のＲＢ内のＲＥにマッピングされ、プレコーディング処理によりアンテナポート毎の下りリンクサブフレームが生成される。なお、下りリンクにおけるＲＥは、各ＯＦＤＭシンボル上の各サブキャリアに対応して規定される。このとき、上位層４１０から送られてくる送信データ系列は、専用（個別）ＲＲＣ（Ｒａｄｉｏ  Ｒｅｓｏｕｒｃｅ  Ｃｏｎｔｒｏｌ）シグナリング用の制御情報（上位層制御情報）を含む。また、物理下りリンク制御チャネル生成部４０３では、ＥＰＤＣＣＨが生成される。ここで、ＥＰＤＣＣＨに含まれる制御情報（下りリンク制御情報、下りリンクグラント）は、下りリンクにおける変調方式などを示すＭＣＳ（Ｍｏｄｕｌａｔｉｏｎ  ａｎｄ  Ｃｏｄｉｎｇ  Ｓｃｈｅｍｅ）、データ送信に用いるＲＢを示す下りリンクリソース割り当て、ＨＡＲＱの制御に用いるＨＡＲＱの制御情報（リダンダンシーバージョン・ＨＡＲＱプロセス番号・新データ指標）、ＰＵＣＣＨの閉ループ送信電力制御に用いるＰＵＣＣＨ−ＴＰＣ（Ｔｒａｎｓｍｉｓｓｉｏｎ  Ｐｏｗｅｒ  Ｃｏｎｔｒｏｌ）コマンドなどの情報を含む。下りリンクサブフレーム生成部４０２は、上位層４１０の指示により、ＥＰＤＣＣＨを下りリンクサブフレーム内のＲＥにマッピングする。このとき、ＥＰＤＣＣＨを復調するためのＤＭＲＳも下りリンクサブフレーム内のＲＥにマッピングする。ここで、ＥＰＤＣＣＨおよびＤＭＲＳの生成およびマッピングは、後述する関連パラメータを用いて行われる。下りリンクサブフレーム生成部４０２で生成されたアンテナポート毎の下りリンクサブフレームは、ＯＦＤＭ信号送信部４０４においてＯＦＤＭ信号に変調され、送信アンテナ４０５を介して送信される。なお、下りリンクサブフレーム生成部４０２は、ＰＤＣＣＨを生成する能力も有することができる。
【００２８】
端末１０２では、受信アンテナ５０１を介して、ＯＦＤＭ信号受信部５０２においてＯＦＤＭ信号が受信され、ＯＦＤＭ復調処理が施される。下りリンクサブフレーム処理部５０３は、まず物理下りリンク制御チャネル抽出部５０４においてＥＰＤＣＣＨを検出する。より具体的には、ＥＰＤＣＣＨが割り当てられ得る領域においてＥＰＤＣＣＨが送信されたものとしてデコードし、予め付加されているＣＲＣ（Ｃｙｃｌｉｃ  Ｒｅｄｕｎｄａｎｃｙ  Ｃｈｅｃｋ）ビットを確認する（ブラインドデコーディング）。すなわち、物理下りリンク制御チャネル抽出部５０４は、ＥＰＤＣＣＨをモニタリングする。ＣＲＣビットが予め基地局から割り当てられたＩＤ（Ｃ−ＲＮＴＩ（Ｃｅｌｌ−Ｒａｄｉｏ  Ｎｅｔｗｏｒｋ  Ｔｅｍｐｏｒａｒｙ  Ｉｄｅｎｔｉｆｉｅｒ）、ＳＰＳ−Ｃ−ＲＮＴＩ（Ｓｅｍｉ  ｐｅｒｓｉｓｔｅｎｔ  ｓｃｈｅｄｕｌｉｎｇ―Ｃ−ＲＮＴＩ）あるいはＴｅｍｐｏｒａｌｙ  Ｃ−ＲＮＴＩなど１つの端末に対して１つ割り当てられる端末固有識別子）と一致する場合、下りリンクサブフレーム処理部５０３は、ＥＰＤＣＣＨを検出できたものと認識し、検出したＥＰＤＣＣＨに含まれる制御情報を用いてＰＤＳＣＨを抽出する。より具体的には、下りリンクサブフレーム生成部４０２におけるＲＥマッピング処理や変調処理に対応するＲＥデマッピング処理や復調処理などが施される。受信した下りリンクサブフレームから抽出されたＰＤＳＣＨは、コードワード抽出部５０５に送られる。コードワード抽出部５０５では、コードワード生成部４０１におけるレートマッチング処理、誤り訂正符号化に対応するレートマッチング処理、誤り訂正復号化などが施され、トランスポートブロックが抽出され、上位層５０６に送られる。すなわち、物理下りリンク制御チャネル抽出部５０４がＰＤＣＣＨあるいはＥＰＤＣＣＨを検出した場合、コードワード抽出部５０５は検出されたＰＤＣＣＨあるいはＥＰＤＣＣＨに関連するＰＤＳＣＨにおける送信データを抽出して上位層５０６に送る。なお、物理下りリンク制御チャネル抽出部５０４は、ＰＤＣＣＨをモニタリングする能力も有することができる。
【００２９】
次に、下りリンク送信データに対するＨＡＲＱ応答情報の送受信の流れについて説明する。端末１０２では、コードワード抽出部５０５においてトランスポートブロックの抽出の成否が決定すると、成否を示す情報が応答情報生成部５０７に送られる。応答情報生成部５０７では、ＨＡＲＱ応答情報が生成され、上りリンクサブフレーム生成部５０８内の物理上りリンク制御チャネル生成部５０９に送られる。上りリンクサブフレーム生成部５０８では、上位層５０６から送られるパラメータと、物理下りリンク制御チャネル抽出部５０４においてＰＤＣＣＨあるいはＥＰＤＣＣＨが配置されていたリソースとに基づいて、物理上りリンク制御チャネル生成部５０９においてＨＡＲＱ応答情報（上りリンク制御情報）を含むＰＵＣＣＨが生成され、生成されたＰＵＣＣＨが上りリンクサブフレーム内のＲＢにマッピングされる。すなわち、ＰＵＣＣＨリソースに応答情報がマッピングされてＰＵＣＣＨが生成される。ＳＣ−ＦＤＭＡ信号送信部５１０は、上りリンクサブフレームにＳＣ−ＦＤＭＡ変調を施してＳＣ−ＦＤＭＡ信号を生成し、送信アンテナ５１１を介して送信する。
【００３０】
基地局１０１では、受信アンテナ４０６を介して、ＳＣ−ＦＤＭＡ信号受信部４０７においてＳＣ−ＦＤＭＡ信号が受信され、ＳＣ−ＦＤＭＡ復調処理が施される。上りリンクサブフレーム処理部４０８では、上位層４１０の指示により、ＰＵＣＣＨがマッピングされたＲＢを抽出し、物理上りリンク制御チャネル抽出部４０９においてＰＵＣＣＨに含まれるＨＡＲＱ応答制御情報を抽出する。抽出されたＨＡＲＱ応答制御情報は上位層４１０に送られる。ＨＡＲＱ応答制御情報は、上位層４１０によるＨＡＲＱの制御に用いられる。
【００３１】
次に、上りリンクサブフレーム生成部５０８におけるＰＵＣＣＨリソースに関して説明する。ＨＡＲＱ応答制御情報は、サイクリックシフトされた擬似ＣＡＺＡＣ（Ｃｏｎｓｔａｎｔ−Ａｍｐｌｉｔｕｄｅ  Ｚｅｒｏ−ＡｕｔｏＣｏｒｒｅｌａｔｉｏｎ）系列を用いてＳＣ−ＦＤＭＡサンプル領域に拡散され、さらに符号長が４の直交符号ＯＣＣ（Ｏｒｔｈｏｇｏｎａｌ  Ｃｏｖｅｒ  Ｃｏｄｅ）を用いてスロット内の４ＳＣ−ＦＤＭＡシンボルに拡散される。また、２つの符号により拡散されたシンボルは、２つの周波数が異なるＲＢにマッピングされる。こうして、ＰＵＣＣＨリソースは、サイクリックシフト量・直交符号・マッピングされるＲＢの３つの要素により規定される。なお、ＳＣ−ＦＤＭＡサンプル領域におけるサイクリックシフトは、周波数領域で一様増加する位相回転で表現することもできる。
【００３２】
図６は、ＰＵＣＣＨが割り当てられる上りリンク制御チャネル領域における物理上りリソースブロック構成（上りリンク制御チャネル物理リソース）を示す図である。それぞれのＲＢのペアは、第１スロットと第２スロットとで異なる周波数の２つのＲＢから構成される。１つのＰＵＣＣＨは、ｍ＝０、１、２、・・・のうちのいずれかのＲＢのペアに配置される。
【００３３】
図７は上りリンク制御チャネル論理リソースを示す対応表である。ここでは、ＰＵＣＣＨを構成する要素として、ＯＣ０、ＯＣ１、ＯＣ２の３つの直交符号と、ＣＳ０、ＣＳ２、ＣＳ４、ＣＳ６、ＣＳ８、ＣＳ１０の６つのサイクリックシフト量と、周波数リソースを示すｍを想定した場合のＰＵＣＣＨリソースの一例である。ＰＵＣＣＨリソース（上りリンク制御チャネル論理リソース）を示すインデクスであるｎＰＵＣＣＨに対応して、直交符号とサイクリックシフト量とｍとの各組み合わせが一意に規定されている。なお、図７に示すｎＰＵＣＣＨと、直交符号とサイクリックシフト量とｍとの各組み合わせとの対応は一例であり、他の対応であってもよい。例えば、連続するｎＰＵＣＣＨ間で、サイクリックシフト量が変わるように対応させてもよいし、ｍが変わるように対応させてもよい。また、ＣＳ０、ＣＳ２、ＣＳ４、ＣＳ６、ＣＳ８、ＣＳ１０とは異なるサイクリックシフト量であるＣＳ１、ＣＳ３、ＣＳ５、ＣＳ７、ＣＳ９、ＣＳ１１を用いてもよい。また、ここではｍの値がＮＦ２以上の場合を示している。ｍがＮＦ２未満である周波数リソースは、チャネル状態情報のフィードバックのためのＰＵＣＣＨ送信に予約されたＮＦ２個の周波数リソースである。
【００３４】
次に、ＰＤＣＣＨとＥＰＤＣＣＨについて説明する。図８はＰＤＣＣＨ領域、およびＰＤＳＣＨ領域における物理リソースブロックＰＲＢ（Ｐｈｙｓｉｃａｌ  ＲＢ）を示す図である。実際のサブフレーム上のＲＢはＰＲＢと呼ばれる。ＮＤＬＰＲＢは、下りリンクＣＣ内で周波数方向に並べられたＰＲＢ数である。ＰＲＢ（あるいはＰＲＢペア）には番号ｎＰＲＢが振られ、ｎＰＲＢは周波数の低い方から順に、０、１、２、・・・、ＮＤＬＰＲＢ−１となる。なお、ここでいう番号は、インデクスとも表現できる。
【００３５】
ＰＤＣＣＨは、ＰＤＣＣＨ領域内の複数の制御チャネルエレメント（ＣＣＥ：Ｃｏｎｔｒｏｌ  Ｃｈａｎｎｅｌ  Ｅｌｅｍｅｎｔ）により構成される。ＣＣＥは、複数の下りリンクリソースエレメントＲＥ（１つのＯＦＤＭシンボルおよび１本のサブキャリアで規定されるリソース）により構成される。ＰＤＣＣＨ領域内のＣＣＥには、ＣＣＥを識別するための番号ｎＣＣＥが付与されている。ＣＣＥの番号付けは、予め決められた規則に基づいて行なわれる。ＰＤＣＣＨは、複数のＣＣＥからなる集合（ＣＣＥ  Ａｇｇｒｅｇａｔｉｏｎ）により構成される。この集合を構成するＣＣＥの数を、「ＣＣＥ集合レベル」（ＣＣＥ  ａｇｇｒｅｇａｔｉｏｎ  ｌｅｖｅｌ）と称す。ＰＤＣＣＨを構成するＣＣＥ集合レベルは、ＰＤＣＣＨに設定される符号化率、ＰＤＣＣＨに含められるＤＣＩ（Ｄｏｗｎｌｉｎｋ  Ｃｏｎｔｒｏｌ  Ｉｎｆｏｒｍａｔｉｏｎ；下りリンク制御情報）（ＰＤＣＣＨ、またはＥＰＤＣＣＨで送信される制御情報）のビット数に応じて基地局１０１において設定される。なお、端末に対して用いられる可能性のあるＣＣＥ集合レベルの組み合わせは予め決められている。また、ｎ個のＣＣＥからなる集合を、「ＣＣＥ集合レベルｎ」という。
【００３６】
１個のＲＥＧ（ＲＥ  Ｇｒｏｕｐ）は周波数領域の隣接する４個のＲＥにより構成される。さらに、１個のＣＣＥは、ＰＤＣＣＨ領域内で周波数領域及び時間領域に分散した９個の異なるＲＥＧにより構成される。具体的には、下りリンクＣＣ全体に対して、番号付けされた全てのＲＥＧに対してブロックインタリーバを用いてＲＥＧ単位でインタリーブが行なわれ、インタリーブ後の番号の連続する９個のＲＥＧにより１個のＣＣＥが構成される。
【００３７】
各端末には、ＰＤＣＣＨを検索する領域（探索領域、検索領域）であるＳＳ（Ｓｅａｒｃｈ  Ｓｐａｃｅ）が設定される。ＳＳは、複数のＣＣＥから構成される。ＣＣＥには予め番号が振られており、番号の連続する複数のＣＣＥからＳＳは構成される。あるＳＳを構成するＣＣＥ数は予め決められている。各ＣＣＥ集合レベルのＳＳは、複数のＰＤＣＣＨの候補の集合体により構成される。ＳＳは、構成されるＣＣＥのうち、番号が最も小さいＣＣＥの番号がセル内で共通であるセル固有の共通探索領域ＣＳＳ（Ｃｅｌｌ−ｓｐｅｃｉｆｉｃ  ＳＳ、Ｃｏｍｍｏｍ  ＳＳ）と、番号が最も小さいＣＣＥの番号が端末固有である端末固有探索領域ＵＳＳ（ＵＥ−ｓｐｅｃｉｆｉｃ  ＳＳ）とに分類される。ＣＳＳには、システム情報あるいはページングに関する情報など、複数の端末１０２が読む制御情報が割り当てられた（含まれた）ＰＤＣＣＨ、あるいは下位の送信方式へのフォールバックやランダムアクセスや送信電力制御の指示を示す下りリンク／上りリンクグラントが割り当てられた（含まれた）ＰＤＣＣＨを配置することができる。より具体的には、ＣＳＳには、システム情報用識別子（ＳＩ−ＲＮＴＩ（Ｓｙｓｔｅｍ  Ｉｎｆｏｒｍａｔｉｏｎ−ＲＮＴＩ））、ページング用識別子（Ｐ−ＲＮＴＩ（Ｐａｇｉｎｇ−ＲＮＴＩ））、ランダムアクセス用識別子（ＲＡ−ＲＮＴＩ（Ｒａｎｄｏｍ  Ａｃｃｅｓｓ−ＲＮＴＩ））あるいは送信電力制御識別子（ＴＰＣ−ＲＮＴＩ）によりスクランブルされたＣＲＣが付加されたＰＤＣＣＨが配置可能である一方、ＵＳＳには、これらの識別子によりスクランブルされたＣＲＣが付加されたＰＤＣＣＨが配置できない。なお、これらの識別子は、１つ以上（複数を含む）の端末に対して１つ割り当てられる識別子であり、これらの識別子によりスクランブルされたＣＲＣが付加されたＰＤＣＣＨは、１つ以上の端末が受信処理を行うかもしれない。
【００３８】
基地局１０１は、端末１０２において設定されるＳＳ内の１個以上のＣＣＥを用いてＰＤＣＣＨを送信する。端末１０２は、ＳＳ内の１個以上のＣＣＥを用いて受信信号の復号を行ない、自身宛てのＰＤＣＣＨを検出するための処理を行なう。前述したように、この処理をブラインドデコーディングと呼ぶ。端末１０２は、ＣＣＥ集合レベル毎に異なるＳＳを設定する。その後、端末１０２は、ＣＣＥ集合レベル毎に異なるＳＳ内の予め決められた組み合わせのＣＣＥを用いてブラインドデコーディングを行なう。言い換えると、端末１０２は、ＣＣＥ集合レベル毎に異なるＳＳ内の各ＰＤＣＣＨの候補に対してブラインドデコーディングを行なう。端末１０２におけるこの一連の処理をＰＤＣＣＨのモニタリングという。
【００３９】
次に、図９はＥＰＤＣＣＨ領域におけるＥＰＤＣＣＨのマッピングの一例を示す図である。この局所的マッピング方式によれば、１つのＥＰＤＣＣＨは局所的な帯域上のＲＥにマッピングされる。より具体的には、１つのＰＲＢペア内に１６個の拡張ＲＥＧ（ＥＲＥＧ：Ｅｎｈａｎｃｅｄ  ＲＥＧ）が規定される。ＰＲＢペア内で、ＤＭＲＳを除くすべてのＲＥに対して、周波数方向が先、その次に時間方向という順で０から１５までの番号が振られる。これが１６個のＥＲＥＧのインデクスとなる。結果的に、通常のサイクリックプレフィックスの場合、各ＥＲＥＧは９つのＲＥを含んで構成される。局所的マッピング方式によれば、少なくともアグリゲーションレベルが低い場合（例えば４以下の場合）は、１つのＥＰＤＣＣＨが１つＰＲＢペア内のＥＲＥＧにマッピングされる。
【００４０】
次に、図１０はＥＰＤＣＣＨ領域におけるＥＰＤＣＣＨのマッピングの他の一例を示す図である。この分散的マッピング方式によれば、１つのＥＰＤＣＣＨは局所的な帯域周波数軸上で離れた帯域上のＲＥにマッピングされる。より具体的には、分散的マッピング方式によれば、アグリゲーションレベルが低い場合（例えば１や２の場合）においても、１つのＥＰＤＣＣＨが２つ以上のＰＲＢペアにおけるＥＲＥＧに跨るようにマッピングされる。
【００４１】
このように、一部（あるいは全部）のＰＲＢペアが、ＥＰＤＣＣＨ領域（潜在的にＥＰＤＣＣＨが配置され得る領域）として設定される。さらに、明示的あるいは黙示的／暗示的に指定されるマッピング方式により、ＥＰＤＣＣＨ領域中の一部（あるいは全部）のＰＲＢペアにＥＰＤＣＣＨが配置される。ここで、ＥＰＤＣＣＨ領域は、周波数方向のＰＲＢペアの組（拡張物理下りリンク制御チャネル物理リソースブロックセット：ＥＰＤＣＣＨ−ＰＲＢセット）として規定することができる一方、周波数方向のＰＲＢペアの組（拡張物理下りリンク制御チャネル物理リソースブロックセット：ＥＰＤＣＣＨ−ＰＲＢセット）と時間方向のＯＦＤＭシンボルとして規定することもできる。このとき、時間方向のＯＦＤＭシンボルとしては、サブフレーム内の開始位置として、ＥＰＤＣＣＨがマッピングされるＯＦＤＭシンボルの中で最初のＯＦＤＭシンボルの番号が設定されてもよい。
【００４２】
図１１はＥＰＤＣＣＨ領域内の構成要素の一例を示す図である。ＮＤＬＰＲＢ個のＰＲＢペアのうちＥＰＤＣＣＨ領域に設定されたＮＥＰＤＣＣＨＰＲＢ個のＰＲＢペアを取り出し、取り出した領域内のＥＲＥＧを構成するＲＥに、ＥＰＤＣＣＨの構成要素であるＥＣＣＥ（Ｅｎｈａｎｃｅｄ  ＣＣＥ）をマッピングする。ここで、マッピングは、局所的なマッピング方式を用いる場合と分散的なマッピング方式を用いる場合とで異なる方法を用いることが好ましい。ＥＰＤＣＣＨ構成要素であるＥＣＣＥは、番号ｎＥＣＣＥが振られる。例えば、周波数が低い構成要素から順に０、１、２、・・・、ＮＥＣＣＥ−１となる。つまり、周波数領域において、潜在的ＥＰＤＣＣＨ送信に対してＮＥＰＤＣＣＨＰＲＢ個のＰＲＢのセットが上位層のシグナリング（例えば端末個別のシグナリングやセル内共通のシグナリング）により設定され、ＮＥＣＣＥ個のＥＰＤＣＣＨ構成要素が使用可能となる。
【００４３】
図１２は、ＥＰＤＣＣＨにおけるアグリゲーションレベルを示す図である。インデクスが連続する１つ以上のＥＣＣＥを用いて、１つのＥＰＤＣＣＨが送受信される。１つのＥＰＤＣＣＨの送受信に用いられるＥＣＣＥ数がアグリゲーションレベルである。ここでは、アグリゲーションレベルが１、２、４、８の場合について図示しているが、これに限るものではない。これ以外にもアグリゲーションレベル１６や３２を取ることができる。一般に、それぞれのＥＣＣＥは、個別のＥＲＥＧにマッピングされる。そのため、アグリゲーションレベルが高いほど、１つのＥＰＤＣＣＨの送受信に用いられるＲＥ数が増加することになり、低い符号化率での送受信が可能となる。基地局１０１は、端末１０２でのＥＰＤＣＣＨ受信の誤り率が所定値以下となるように、適切なアグリゲーションレベルを選択する。端末１０２は、可能性のあるアグリゲーションレベルに対して、順次ブラインドデコーディングを試行する。
【００４４】
図１３は、ＥＰＤＣＣＨセットの一例を示す図である。ここでは、ＥＰＤＣＣＨセット（ＥＰＤＣＣＨ−ＰＲＢセット）として第１セットから第３セットの３つのセットが設定される場合について示しているが、これは一例であって、これ以外の数のセットが設定されてもよい。ＥＰＤＣＣＨ−ＰＲＢセットは、それぞれ個別に（独立に）パラメータを設定することができる。個別にされるパラメータとしては、下記に挙げる（１）から（９）などのパラメータを用いることができる。
【００４５】
（１）ＥＰＤＣＣＨ−ＰＲＢセットに含まれるＰＲＢペア数
（２）ＥＰＤＣＣＨ−ＰＲＢセットが、いずれのＰＲＢペアを含むか
（３）局所的なマッピング方式か分散的なマッピング方式か
（４）ＥＰＤＣＣＨの開始位置（ＥＰＤＣＣＨがマッピングされるＯＦＤＭシンボルの中で最初のＯＦＤＭシンボルの番号）
（５）ＥＰＤＣＣＨのＲＥへのマッピング時の考慮されるＣＲＳの位置に関する情報（ＣＲＳポート数、ＣＲＳの周波数領域の位置、ＭＢＳＦＮサブフレームの位置）
（６）ＥＰＤＣＣＨのＲＥへのマッピング時の考慮されるゼロ電力ＣＳＩＲＳ（ＺＰ−ＣＳＩＲＳ：Ｚｅｒｏ  Ｐｏｗｅｒ−ＣＳＩＲＳ）の位置に関する情報（ＺＰ−ＣＳＩＲＳサブフレームの位置、サブフレーム内のＺＰ−ＣＳＩＲＳのＲＥの位置）
（７）ＥＰＤＣＣＨと同じ送信ポートで送信されるＤＭＲＳと同じ送信点から送信されているとみなすことができる（擬似コローケートしている）ＲＳや同期信号に関する情報（例えば、非ゼロ電力ＣＳＩＲＳ（ＮＺＰ−ＣＳＩＲＳ：Ｎｏｎ  Ｚｅｒｏ  Ｐｏｗｅｒ−ＣＳＩＲＳ）リソースのインデクス、あるいは拡張同期信号の示す情報など）
（８）ＥＰＤＣＣＨで割り当てを指示されたＰＤＳＣＨのＨＡＲＱ応答情報を送信するためのＰＵＣＣＨリソース（ＰＵＣＣＨフォーマット１ａおよび１ｂ用のリソース）の開始位置のオフセット値
（９）ＥＰＤＣＣＨと同じ送信ポートで送信されるＤＭＲＳにおける擬似ランダム系列の初期値に関する情報
このため、ＥＰＤＣＣＨ−ＰＲＢセットに対応するＥＣＣＥ数も、セット毎に個別の値となる。ここでは、第１セットから第３セットの３つのセットにマッピングされ得るＥＣＣＥ数は、それぞれＮ１ＥＣＣＥ、Ｎ２ＥＣＣＥおよびＮ３ＥＣＣＥであるものとする。
【００４６】
また、複数のＥＰＤＣＣＨ−ＰＲＢセットのうち、少なくとも１つのＥＰＤＣＣＨ−ＰＲＢセット（ここでは第１セット）においては、端末１０２はＲＲＣコネクション確立（あるいは対象のセルが収容セルとして設定される）前に上記パラメータを取得することができる。一方、残りのＥＰＤＣＣＨ−ＰＲＢセット（ここでは第２セット以降）においては、端末１０２はＲＲＣコネクション確立（あるいは対象のセルが収容セルとして設定された）後に、専用ＲＲＣシグナリングを介して上記パラメータを取得することができる。ここで、ＲＲＣコネクション確立前に上記パラメータを取得する方法の例としては、下記に挙げる（Ａ）から（Ｃ）などの方法を用いることができる。
【００４７】
（Ａ）基地局１０１は物理報知チャネルで所定の情報を送信し、端末１０２は物理報知チャネルを受信した後、所定の情報に基づいてパラメータを決定（計算）し、決定されたパラメータが設定される。ここで、所定の情報は、パラメータ自体を示す情報であってもよい。あるいは、パラメータ自体を示す情報でないが、所定の情報からパラメータが一意に決定する方法が予め規定されていてもよい。
【００４８】
（Ｂ）基地局１０１はセル識別子（物理セル識別子）に対応する同期信号を送信し、端末１０２は同期信号を受信した後、セル識別子に基づいてパラメータを決定（計算）し、決定されたパラメータが設定される。セル識別子からパラメータが一意に決定する方法が予め規定されていてもよい。
【００４９】
（Ｃ）予め、基地局１０１と端末１０２に共通のパラメータが設定されている。言い換えれば、システムの仕様上、固定のパラメータが設定されている。
なお、パラメータ毎に個別の方法を用いることもできる。
【００５０】
ＲＲＣコネクション確立前に上記パラメータを取得する方法の好ましい具体例としては、下記に挙げる（Ｄ）から（Ｈ）などの方法を用いることができる。
【００５１】
（Ｄ）ＥＰＤＣＣＨと同じ送信ポートで送信されるＤＭＲＳと、収容セルにおけるＣＲＳあるいは拡張同期信号が同じ送信点から送信されているとみなす。
【００５２】
（Ｅ）ＥＰＤＣＣＨと同じ送信ポートで送信されるＤＭＲＳにおける擬似ランダム系列の初期は、収容セルにおけるセル識別子に基づく。なお、好ましくは、基地局１０１により同期信号が収容セルにおけるセル識別子に基づいて生成されており、端末１０２は同期信号に基づいて収容セルにおけるセル識別子を取得する。
【００５３】
（Ｆ）ＥＰＤＣＣＨのＲＥへのマッピング時の考慮されるＣＲＳの位置として、収容セルにおけるＣＲＳの位置（収容セルにおける物理報知チャネルと一緒に送信されるＣＲＳに基づく位置）あるいは拡張同期信号の位置を用いる。なお、拡張同期信号の位置とは、拡張同期信号が挿入されるサブフレームの位置も含む。
【００５４】
（Ｇ）常に分散的なマッピング方式と用いる。
【００５５】
（Ｈ）ゼロ電力ＣＳＩＲＳは無いものとして、ＥＰＤＣＣＨのＲＥへのマッピングを行う。あるいは、ゼロ電力ＣＳＩＲＳが配置されうるＲＥすべてを避けるようにマッピングを行う。
これにより、ページング情報やランダムアクセスレスポンスなどの重要な情報が、少なくとも通信状態が悪くない収容セルおよび／またはサブフレームにおいて送受信されることが可能になる。
【００５６】
なお、ＲＲＣコネクション確立前に上記パラメータを取得することができるＥＰＤＣＣＨ−ＰＲＢセットを第１のＥＰＤＣＣＨ−ＰＲＢセットと呼称し、それ以外のＥＰＤＣＣＨ−ＰＲＢセットを第２のＥＰＤＣＣＨ−ＰＲＢセットと呼称することにする。ここで、第１のＥＰＤＣＣＨ−ＰＲＢセット内のＳＳをＥＰＤＣＣＨが配置可能なＣＳＳとし、第２のＥＰＤＣＣＨ−ＰＲＢセット内のＳＳをＥＰＤＣＣＨが配置可能なＵＳＳとすることができる。あるいは、第１のＥＰＤＣＣＨ−ＰＲＢセット内のＳＳをプライマリＵＳＳと呼び、第２のＥＰＤＣＣＨ−ＰＲＢセット内のＳＳをセカンダリＵＳＳと呼んで区別することもできる。ＥＰＤＣＣＨが配置可能なＣＳＳや、プライマリＵＳＳでは、システム情報あるいはページングに関する情報など、複数の端末１０２が読む制御情報が割り当てられた（含まれた）ＥＰＤＣＣＨ、あるいは下位の送信方式へのフォールバックやランダムアクセスの指示を示す下りリンク／上りリンクグラントが割り当てられた（含まれた）ＥＰＤＣＣＨを配置することができる。一方、通常のＵＳＳあるいはセカンダリＵＳＳでは、これらのＥＰＤＣＣＨは配置されない。より具体的には、ＣＳＳやプライマリＵＳＳには、システム情報用識別子、ページング用識別子、ランダムアクセス用識別子あるいは送信電力制御識別子によりスクランブルされたＣＲＣが付加されたＥＰＤＣＣＨが配置可能である一方、通常のＵＳＳあるいはセカンダリＵＳＳには、これらの識別子によりスクランブルされたＣＲＣが付加されたＥＰＤＣＣＨが配置できない。なお、これらの識別子は、１つ以上（複数を含む）の端末に対して１つ割り当てられる識別子であり、これらの識別子によりスクランブルされたＣＲＣが付加されたＰＤＣＣＨは、１つ以上（複数を含む）の端末が受信処理を行うかもしれない。
【００５７】
次に、下りリンクグラント送受信するためのＥＰＤＣＣＨの送受信方法について説明する。図１４は、下りリンクグラントとレートマッチングで考慮されるＣＲＳの一例を示す図である。端末１０２は、第１のセットにおけるＳＳで下りリンクグラントを検出するに際し、所定のＣＲＳのためのＲＥを考慮してレートマッチングされているものとする（所定のＣＲＳのためのＲＥにＰＤＳＣＨをマッピングされていないものとする）。逆に、基地局１０１は、下りリンクグラントを含むＥＰＤＣＣＨを第１のセットに配置する際、所定のＣＲＳのためのＲＥを考慮してレートマッチングする（所定のＣＲＳのためのＲＥにＰＤＳＣＨをマッピングしない）。第１のセットにおける所定のＣＲＳの一例として、ここでは、収容セルのＣＲＳのためのＲＥの位置を用いる場合を示している。収容セルのＣＲＳの位置は、基地局１０１から端末１０２への個別シグナリングで通知することなく端末１０２が知ることができる。一方、端末１０２は、第２のセットにおけるＳＳで下りリンクグラントを検出するに際し、基地局１０１から指定されたＣＲＳのためのＲＥを考慮してレートマッチングされているものとする（基地局１０１から指定されたＣＲＳのためのＲＥにＰＤＳＣＨをマッピングされていないものとする）。逆に、基地局１０１は、下りリンクグラントを含むＥＰＤＣＣＨを第２のセットに配置する際、レートマッチングに考慮されるＣＲＳの位置を指定するとともに、指定したＣＲＳのためのＲＥを考慮してレートマッチングする（指定したＣＲＳのためのＲＥにＰＤＳＣＨをマッピングしない）。第２のセットにおける所定のＣＲＳの一例として、ここでは、隣接セルのＣＲＳのためのＲＥの位置を用いる場合を示している。ＣＲＳの位置の指定は、基地局１０１から端末１０２への個別ＲＲＣシグナリングで複数個の候補を設定しておき、複数個の候補のうちの一つをＥＰＤＣＣＨ送信に関連付ける情報をさらに個別ＲＲＣシグナリングで設定する方法であってもよい。なお、ＣＲＳの位置に関する情報は、ＣＲＳポート数と、ＣＲＳの周波数領域の位置と、ＭＢＳＦＮサブフレームの位置とから構成されてもよい。この場合、ＣＲＳポート数とＣＲＳの周波数領域の位置とからサブフレーム内のＲＥの位置が一意に決まる。また、ＭＢＳＦＮサブフレーム以外では、ＣＲＳポート数とＣＲＳの周波数領域の位置とから決まるサブフレーム内のＲＥの位置のすべてが考慮されるが、ＭＢＳＦＮサブフレームでは、ＣＲＳポート数とＣＲＳの周波数領域の位置とから決まるサブフレーム内のＲＥの位置のうち、先頭の数個のＯＦＤＭシンボルにおけるＲＥの位置のみが考慮される。
【００５８】
図１５は、下りリンクグラントとＥＰＤＣＣＨの開始位置の一例を示す図である。端末１０２は、第１のセットにおけるＳＳで下りリンクグラントを検出するに際し、所定の開始位置からＰＤＳＣＨがマッピングされるものとしてレートマッチングされているものとする。逆に、基地局１０１は、下りリンクグラントを含むＥＰＤＣＣＨを第１のセットに配置する際、所定の開始位置からＰＤＳＣＨをマッピングするものとしてレートマッチングする。第１のセットにおける所定の開始位置の一例として、ここでは、サブフレーム中の先頭シンボルである場合を示している。サブフレーム中の先頭シンボルは、基地局１０１から端末１０２への個別シグナリングで通知することなく端末１０２が知ることができる。一方、端末１０２は、第２のセットにおけるＳＳで下りリンクグラントを検出するに際し、基地局１０１から指定された開始位置からＰＤＳＣＨがマッピングされるものとしてレートマッチングされているものとする。逆に、基地局１０１は、下りリンクグラントを含むＥＰＤＣＣＨを第２のセットに配置する際、レートマッチングに考慮される開始位置を指定するとともに、指定した開始位置からＰＤＳＣＨをマッピングするものとしてレートマッチングする。第２のセットにおける所定のＣＲＳの一例として、ここでは、隣接セルの開始位置を用いる場合を示している。開始位置は、基地局１０１から端末１０２への個別ＲＲＣシグナリングで設定する方法であってもよい。
【００５９】
図１６は、下りリンクグラントとレートマッチングで考慮されるＺＰ−ＣＳＩＲＳの一例を示す図である。端末１０２は、第１のセットにおけるＳＳで下りリンクグラントを検出するに際し、所定のＺＰ‐ＣＳＩＲＳのためのＲＥを考慮してレートマッチングされているものとする（所定のＺＰ‐ＣＳＩＲＳのためのＲＥにＰＤＳＣＨをマッピングされていないものとする）。逆に、基地局１０１は、下りリンクグラントを含むＥＰＤＣＣＨを第１のセットに配置する際、所定のＺＰ‐ＣＳＩＲＳのためのＲＥを考慮してレートマッチングする（所定のＺＰ‐ＣＳＩＲＳのためのＲＥにＰＤＳＣＨをマッピングしない）。第１のセットにおける所定のＺＰ‐ＣＳＩＲＳの一例として、ここでは、いずれのＺＰ‐ＣＳＩＲＳも考慮しない場合を示している。いずれのＺＰ‐ＣＳＩＲＳも考慮しない場合、基地局１０１から端末１０２への個別シグナリングで通知する必要が無い。一方、端末１０２は、第２のセットにおけるＳＳで下りリンクグラントを検出するに際し、基地局１０１から指定されたＺＰ‐ＣＳＩＲＳのためのＲＥを考慮してレートマッチングされているものとする（基地局１０１から指定されたＺＰ‐ＣＳＩＲＳのためのＲＥにＰＤＳＣＨをマッピングされていないものとする）。逆に、基地局１０１は、下りリンクグラントを含むＥＰＤＣＣＨを第２のセットに配置する際、レートマッチングに考慮されるＺＰ‐ＣＳＩＲＳの位置を指定するとともに、指定したＺＰ‐ＣＳＩＲＳのためのＲＥを考慮してレートマッチングする（指定したＺＰ‐ＣＳＩＲＳのためのＲＥにＰＤＳＣＨをマッピングしない）。第２のセットにおける所定のＺＰ‐ＣＳＩＲＳの一例として、ここでは、隣接セルのＺＰ‐ＣＳＩＲＳのためのＲＥの位置を用いる場合を示している。ＺＰ‐ＣＳＩＲＳの位置の指定は、基地局１０１から端末１０２への個別ＲＲＣシグナリングで複数個の候補を設定しておき、複数個の候補のうちの一つをＥＰＤＣＣＨ送信に関連付ける情報をさらに個別ＲＲＣシグナリングで設定する方法であってもよい。
【００６０】
図１７は、下りリンクグラントとＤＭＲＳ擬似コロケーションの一例を示す図である。端末１０２は、第１のセットにおけるＳＳで下りリンクグラントを検出するに際し、ＤＭＲＳが所定の信号と擬似コロケートしているものする（所定の信号と同じタイミングで受信処理を行う）。逆に、基地局１０１は、下りリンクグラントを含むＥＰＤＣＣＨを第１のセットに配置する際、ＤＭＲＳが所定の信号と擬似コロケートするようにＤＭＲＳを送信する（所定の信号と同じタイミングで端末１０２が受信するような送信点からＤＭＲＳを送信する）。第１のセットにおける所定の信号の一例として、ここでは、同期用の信号（例えば、拡張同期信号）を示している。拡張同期信号は、基地局１０１から端末１０２への個別シグナリングで通知することなく、端末１０２はその位置を知ることができる。一方、端末１０２は、第２のセットにおけるＳＳで下りリンクグラントを検出するに際し、ＤＭＲＳが基地局１０１から指定されたＮＺＰ‐ＣＳＩＲＳと擬似コロケートしているものする（基地局１０１から指定されたＮＺＰ‐ＣＳＩＲＳと同じタイミングで受信処理を行う）。逆に、基地局１０１は、下りリンクグラントを含むＥＰＤＣＣＨを第２のセットに配置する際、ＮＺＰ‐ＣＳＩＲＳのインデクスを指定するとともに、指定したＮＺＰ‐ＣＳＩＲＳとＤＭＲＳが擬似コロケートするようにＤＭＲＳを送信する。第２のセットにおける所定のＺＰ‐ＣＳＩＲＳの一例として、ここでは、隣接セルのＮＺＰ‐ＣＳＩＲＳを用いる場合を示している。ＮＺＰ‐ＣＳＩＲＳのインデクスの指定は、基地局１０１から端末１０２への個別ＲＲＣシグナリングで複数個の候補を設定しておき、複数個の候補のうちの一つをＥＰＤＣＣＨ送信に関連付ける情報をさらに個別ＲＲＣシグナリングで設定する方法であってもよい。
【００６１】
図１８は、下りリンクグラントとＤＭＲＳスクランブリング系列の一例を示す図である。端末１０２は、第１のセットにおけるＳＳで下りリンクグラントを検出するに際し、ＤＭＲＳが所定のスクランブル系列に基づいているものとする。逆に、基地局１０１は、下りリンクグラントを含むＥＰＤＣＣＨを第１のセットに配置する際、ＤＭＲＳを所定のスクランブル系列に基づいて生成する。第１のセットにおける所定のスクランブル系列の一例として、ここでは、収容セルのセル識別子を用いて初期化された擬似乱数系列を示している。セル識別子は、基地局１０１から端末１０２への個別シグナリングで通知することなく、端末１０２は値を知ることができる。一方、端末１０２は、第２のセットにおけるＳＳで下りリンクグラントを検出するに際し、ＤＭＲＳが基地局１０１から指定されたスクランブル系列に基づいているものとする。（基地局１０１から指定されたパラメータで初期化された擬似乱数系列であるものとする）。逆に、基地局１０１は、下りリンクグラントを含むＥＰＤＣＣＨを第２のセットに配置する際、スクランブル系列初期化パラメータを指定するとともに、指定したスクランブル系列初期化パラメータに基づいてＤＭＲＳを生成する。第２のセットにおけるスクランブル系列初期化パラメータの一例として、ここでは、隣接セルのセル識別子を用いる場合を示している。スクランブル系列初期化パラメータの指定は、基地局１０１から端末１０２への個別ＲＲＣシグナリングで設定する方法であってもよい。
【００６２】
次に、下りリンクグラントとＰＵＣＣＨリソースの割り当てについて説明する。図１９は、下りリンクグラントとＰＵＣＣＨリソースの割り当ての一例を示す図である。端末１０２は、第１のセットにおけるＳＳで下りリンクグラントを検出すると、下りリンクグラントを含むＥＰＤＣＣＨを構成するＥＣＣＥのうち、ＥＣＣＥ番号が最も小さいＥＣＣＥのＥＣＣＥ番号に応じたＰＵＣＣＨリソースを用いて、下りリンクグラントに対応する下りリンク送信データ（ＰＤＳＣＨ）のＨＡＲＱ応答情報を報告する。逆に、基地局１０１は、下りリンクグラントを含むＥＰＤＣＣＨを第１のセットに配置する際、端末１０２が下りリンクグラントに対応する下りリンク送信データ（ＰＤＳＣＨ）のＨＡＲＱ応答情報を報告するＰＵＣＣＨリソースに対応するＥＣＣＥにＥＰＤＣＣＨを配置するようにする。また、基地局１０１は端末１０２に送信したＰＤＳＣＨに対応するＨＡＲＱ応答情報を、予めスケジューリングしたＰＵＣＣＨを介して受信する。より具体的には、図１９に示すように、下りリンクグラントを含むＥＰＤＣＣＨを構成するＥＣＣＥのうち、最初のＥＣＣＥのＥＣＣＥ番号ｎＥＣＣＥに、第１のセットに設定された開始位置オフセットであるＮ（１）（Ｎ（ｅ１）とも表記できる）を加算した値に一致するインデクスｎＰＵＣＣＨを持つＰＵＣＣＨリソースが、下りリンクグラントに対応する下りリンク送信データのＨＡＲＱ応答情報に対して割り当てられたＰＵＣＣＨリソースである。
【００６３】
一方、端末１０２は、第２のセットにおけるＳＳで下りリンクグラントを検出すると、下りリンクグラントを含むＥＰＤＣＣＨを構成するＥＣＣＥのうち、ＥＣＣＥ番号が最も小さいＥＣＣＥのＥＣＣＥ番号に応じたＰＵＣＣＨリソースを用いて、下りリンクグラントに対応する下りリンク送信データ（ＰＤＳＣＨ）のＨＡＲＱ応答情報を報告する。逆に、基地局１０１は、下りリンクグラントを含むＥＰＤＣＣＨを第２のセットに配置する際、端末１０２が下りリンクグラントに対応する下りリンク送信データ（ＰＤＳＣＨ）のＨＡＲＱ応答情報を報告するＰＵＣＣＨリソースに対応するＥＣＣＥにＥＰＤＣＣＨを配置するようにする。また、基地局１０１は端末１０２に送信したＰＤＳＣＨに対応するＨＡＲＱ応答情報を、予めスケジューリングしたＰＵＣＣＨを介して受信する。より具体的には、図１４に示すように、下りリンクグラントを含むＥＰＤＣＣＨを構成するＥＣＣＥのうち、最初のＥＣＣＥのＥＣＣＥ番号ｎＥＣＣＥに、ＥＰＤＣＣＨ内のＡＲＯ（ＨＡＲＱ−ＡＣＫ  Ｒｅｓｏｕｒｃｅ  Ｏｆｆｓｅｔ）フィールドで動的に指定されるオフセット値ΔＡＲＯと、第２のセットに設定された開始位置オフセットであるＮ（ｅ１）１とを加算した値に一致するインデクスｎＰＵＣＣＨを持つＰＵＣＣＨリソースが、下りリンクグラントに対応する下りリンク送信データのＨＡＲＱ応答情報に対して割り当てられたＰＵＣＣＨリソースである。なお、ここでは示していないが、第ｋ＋１のセット（第３のセット以降）でＥＰＤＣＣＨを送受信する場合、同様にして、第ｋ＋１のセットに設定された開始位置オフセットであるＮ（ｅ１）ｋを用いればよい。
【００６４】
図１４に示すように、第１のＥＰＤＣＣＨ−ＰＲＢセットでＥＰＤＣＣＨを送受信する場合には、ＰＵＣＣＨリソースの算出にＡＲＯフィールドによるオフセット値を用いず、第２のＥＰＤＣＣＨ−ＰＲＢセットでＥＰＤＣＣＨを送受信する場合には、ＰＵＣＣＨリソースの算出にＡＲＯフィールドによるオフセット値を用いることができる。これにより、第１のＥＰＤＣＣＨ−ＰＲＢセットにおけるＥＰＤＣＣＨに対応するＰＵＣＣＨリソースのスケジューリングを簡素化することができる。このとき、第１のＥＰＤＣＣＨ−ＰＲＢセットで送受信されるＥＰＤＣＣＨはＡＲＯフィールドを含まない構成とすることもできるし、第１のＥＰＤＣＣＨ−ＰＲＢセットで送受信されるＥＰＤＣＣＨにおけるＡＲＯフィールドは、常に固定のビット（例えば全てゼロ）と設定することもできる。
【００６５】
あるいは、第１のＥＰＤＣＣＨ−ＰＲＢセットでＥＰＤＣＣＨを送受信する場合にも、第２のＥＰＤＣＣＨ−ＰＲＢセットでＥＰＤＣＣＨを送受信する場合と同様に、ＰＵＣＣＨリソースの算出にＡＲＯフィールドによるオフセット値を用いることもできる。そうすることにより、第１のＥＰＤＣＣＨ−ＰＲＢセットにおけるＥＰＤＣＣＨに対応するＰＵＣＣＨリソースのスケジューリングの自由度を高くすることができる。
【００６６】
また、例えば、下りリンクグラントに対応する下りリンク送信データが２つ以上のコードワードを含むことによりＨＡＲＱ応答情報自体が２つ以上ある場合や、一つの応答情報を複数のＰＵＣＣＨリソースを用いてダイバーシチ送信する場合のように、一つのＥＰＤＣＣＨに対応して複数のＰＵＣＣＨリソースが必要である場合があり得る。このとき、下りリンクグラントを含むＥＰＤＣＣＨを構成するＥＣＣＥのうち、ＥＣＣＥ番号が最も小さいＥＣＣＥのＥＣＣＥ番号を応じたＰＵＣＣＨリソースに加えて、そのＰＵＣＣＨリソースより１つインデクスが大きいＰＵＣＣＨリソースを用いることができる。
【００６７】
図２０は、基地局１０１と端末１０２との間の下りリンクデータ送信およびその応答手続きの流れの一例を示す図である。基地局１０１は、報知チャネルを用いて第１のセットに対応するＮ（１）を含むシステム情報を報知し、端末１０２はシステム情報を取得する（ステップＳ２００１）。Ｎ（１）はすべての端末に対して共通に設定される共通シフト量を示す。また、システム情報は、前述した第１のＥＰＤＣＣＨ−ＰＲＢセットに関するパラメータを含んでもよい。なお、ここでは、基地局１０１がＮ（１）や第１のＥＰＤＣＣＨ−ＰＲＢセットに関するパラメータを報知する例を示しているが、これに限るものではない。各端末１０２宛の個別のシグナリング（ＲＲＣシグナリング）を介してＮ（１）を通知するようにしても、同様の効果を得ることができる。
【００６８】
次に、基地局１０１は第１のセット内のＳＳに配置されたＥＰＤＣＣＨを用いて、下りリンクグラントを端末１０２に送信するとともに、下りリンクグラントに対応する下りリンク送信データを端末１０２に送信し、端末１０２は下りリンクグラントと下りリンク送信データとを受信する（ステップＳ２００２）。また、下りリンク送信データを受信した端末１０２は、ＨＡＲＱ応答情報を生成する。このとき、基地局１０１は、システム情報に含まれる第１のＥＰＤＣＣＨ−ＰＲＢセットに関するパラメータを用いてＥＰＤＣＣＨを送信し、端末１０２は、システム情報に含まれる第１のＥＰＤＣＣＨ−ＰＲＢセットに関するパラメータを用いてＥＰＤＣＣＨを受信する。
【００６９】
端末１０２は、ステップＳ２００１により取得したＮ（１）と、ステップＳ２００２により検出したＥＰＤＣＣＨのリソースの情報とに基づいて、ＰＵＣＣＨリソースを決定し、決定したＰＵＣＣＨリソースを用いてＨＡＲＱ応答情報を報告する（ステップＳ２００３）。
【００７０】
一方、第２セットにおけるＥＰＤＣＣＨの送受信に先がけて、基地局１０１は個別ＲＲＣシグナリングを用いて、第２のセットに対応するＮ（ｅ１）１を指定（設定、通知）する制御情報を端末１０２に通知し、端末１０２は制御情報に基づいてＮ（ｅ１）１を設定する（ステップＳ２００４）。Ｎ（ｅ１）１は端末１０２毎に個別に設定される個別シフト量を示す。また、ステップＳ２００４において、基地局１０１は個別ＲＲＣシグナリングを用いて、第２のＥＰＤＣＣＨ−ＰＲＢセットに関するパラメータを指定（設定、通知）する制御情報を端末１０２に通知し、端末１０２は制御情報に基づいてこれらのパラメータを設定することができる。
【００７１】
次に、基地局１０１は第２のセット内のＳＳに配置されたＥＰＤＣＣＨを用いて、下りリンクグラントを端末１０２に送信するとともに、下りリンクグラントに対応する下りリンク送信データを端末１０２に送信し、端末１０２は下りリンクグラントと下りリンク送信データとを受信する（ステップＳ２００５）。このとき、端末１０２は、ＥＰＤＣＣＨ内のＡＲＯフィールドで示されるオフセット値を取得する。また、下りリンク送信データを受信した端末１０２は、ＨＡＲＱ応答情報を生成する。このとき、基地局１０１は、個別ＲＲＣシグナリングを用いて設定された第２のＥＰＤＣＣＨ−ＰＲＢセットに関するパラメータを用いてＥＰＤＣＣＨを送信し、端末１０２は、個別ＲＲＣシグナリングを用いて設定された第２のＥＰＤＣＣＨ−ＰＲＢセットに関するパラメータを用いてＥＰＤＣＣＨを受信する。
【００７２】
端末１０２は、ステップＳ２００４により取得したＮ（ｅ１）１と、ステップＳ２００５により検出したＥＰＤＣＣＨのリソースの情報と、ステップＳ２００５により取得したオフセット値に基づいて、ＰＵＣＣＨリソースを決定し、決定したＰＵＣＣＨリソースを用いてＨＡＲＱ応答情報を報告する（ステップＳ２００６）。なお、図２１にＡＲＯフィールドとＡＲＯフィールドで示されるオフセット値との対応の一例を示す。
【００７３】
図２２は、基地局１０１と端末１０２との間の下りリンクデータ送信およびその応答手続きの流れの他の一例を示す図である。基地局１０１は、同期信号および／またはシステム情報を送信する（ステップＳ２２０１）。端末１０２は同期信号および／またはシステム情報を受信し、同期信号に対応するセル識別子および／またはシステム情報に基づいてＮ（１）を取得する（ステップＳ２２０２）。Ｎ（１）はすべての端末に対して共通に設定される共通シフト量を示す。また、端末１０２は、同期信号に対応するセル識別子および／またはシステム情報に基づいて、前述した第１のＥＰＤＣＣＨ−ＰＲＢセットに関するパラメータを取得することもできる。なお、システム情報は、通常、報知チャネルを介して送受信されるが、各端末１０２宛の個別のシグナリング（ＲＲＣシグナリング）を介してシステム情報を通知するようにしても、同様の効果を得ることができる。また、セル識別子は、通常、端末１０２において同期信号に基づいて取得されるが、各端末１０２宛の個別のシグナリング（ＲＲＣシグナリング）を介してセル識別子を通知するようにしても、同様の効果を得ることができる。
【００７４】
次に、基地局１０１は第１のセット内のＳＳに配置されたＥＰＤＣＣＨを用いて、下りリンクグラントを端末１０２に送信するとともに、下りリンクグラントに対応する下りリンク送信データを端末１０２に送信し、端末１０２は下りリンクグラントと下りリンク送信データとを受信する（ステップＳ２２０３）。また、下りリンク送信データを受信した端末１０２は、ＨＡＲＱ応答情報を生成する。このとき、基地局１０１は、同期信号に対応するセル識別子および／またはシステム情報に基づいて第１のＥＰＤＣＣＨ−ＰＲＢセットに関するパラメータを用いてＥＰＤＣＣＨを送信し、端末１０２は、同期信号に対応するセル識別子および／またはシステム情報に基づいて第１のＥＰＤＣＣＨ−ＰＲＢセットに関するパラメータを用いてＥＰＤＣＣＨを受信する。
【００７５】
端末１０２は、ステップＳ２２０２により取得したＮ（１）と、ステップＳ２２０３により検出したＥＰＤＣＣＨのリソースの情報とに基づいて、ＰＵＣＣＨリソースを決定し、決定したＰＵＣＣＨリソースを用いてＨＡＲＱ応答情報を報告する（ステップＳ２２０４）。
【００７６】
一方、第２セットにおけるＥＰＤＣＣＨの送受信に先がけて、基地局１０１は個別ＲＲＣシグナリングを用いて、第２のセットに対応するＮ（ｅ１）１を指定（設定、通知）する制御情報を端末１０２に通知し、端末１０２は制御情報に基づいてＮ（ｅ１）１を設定する（ステップＳ２２０５）。Ｎ（ｅ１）１は端末１０２毎に個別に設定される個別シフト量を示す。また、ステップＳ２２０５において、基地局１０１は個別ＲＲＣシグナリングを用いて、第２のＥＰＤＣＣＨ−ＰＲＢセットに関するパラメータを指定（設定、通知）する制御情報を端末１０２に通知し、端末１０２は制御情報に基づいてこれらのパラメータを設定することができる。
【００７７】
次に、基地局１０１は第２のセット内のＳＳに配置されたＥＰＤＣＣＨを用いて、下りリンクグラントを端末１０２に送信するとともに、下りリンクグラントに対応する下りリンク送信データを端末１０２に送信し、端末１０２は下りリンクグラントと下りリンク送信データとを受信する（ステップＳ２２０６）。このとき、端末１０２は、ＥＰＤＣＣＨ内のＡＲＯフィールドで示されるオフセット値を取得する。また、下りリンク送信データを受信した端末１０２は、ＨＡＲＱ応答情報を生成する。このとき、基地局１０１は、個別ＲＲＣシグナリングを用いて設定された第２のＥＰＤＣＣＨ−ＰＲＢセットに関するパラメータを用いてＥＰＤＣＣＨを送信し、端末１０２は、個別ＲＲＣシグナリングを用いて設定された第２のＥＰＤＣＣＨ−ＰＲＢセットに関するパラメータを用いてＥＰＤＣＣＨを受信する。
【００７８】
端末１０２は、ステップＳ２２０５により取得したＮ（ｅ１）１と、ステップＳ２２０６により検出したＥＰＤＣＣＨのリソースの情報と、ステップＳ２２０６により取得したオフセット値に基づいて、ＰＵＣＣＨリソースを決定し、決定したＰＵＣＣＨリソースを用いてＨＡＲＱ応答情報を報告する（ステップＳ２２０７）。
【００７９】
以上のように、基地局１０１は、第１のＥＰＤＣＣＨ−ＰＲＢセット内のＳＳにおける下りリンクグラントに関連して下りリンク送信データを送信するに際し、所定のオフセットを考慮し、この下りリンク送信データに対応するＨＡＲＱ応答情報の報告に用いる上りリンク制御チャネルリソースと対応した第１のＥＰＤＣＣＨ−ＰＲＢセット内のＳＳのリソースに下りリンクグラントを割り当てる。好ましくは、第１のＥＰＤＣＣＨ−ＰＲＢセット内のＳＳにおけるリソースを構成する要素のうち最小のインデクスを持つ要素におけるインデクスに所定のオフセットを加算する。加算後の値に等しいインデクスを持つＰＵＣＣＨリソースがこの下りリンクグラントのリソースに対応したＰＵＣＣＨリソースである。さらに、基地局１０１は、この上りリンク制御チャネルリソースをモニタリングして、ＨＡＲＱ応答情報を抽出する。ここで、端末１０２は、ＲＲＣコネクション確立（あるいは対象のセルが収容セルとして設定される）前に、所定のオフセットを取得することができる。
【００８０】
一方、基地局１０１は、第２のＥＰＤＣＣＨ−ＰＲＢセット内のＳＳにおける下りリンクグラントに関連して下りリンク送信データを送信するに際し、個別シグナリングされたオフセットを考慮し、この下りリンク送信データに対応するＨＡＲＱ応答情報の報告に用いる上りリンク制御チャネルリソースと対応した第２のＥＰＤＣＣＨ−ＰＲＢセット内のＳＳのリソースに下りリンクグラントを割り当てる。好ましくは、第２のＥＰＤＣＣＨ−ＰＲＢセット内のＳＳにおけるリソースを構成する要素のうち最小のインデクスを持つ要素におけるインデクスにオフセットを加算する。加算後の値に等しいインデクスを持つＰＵＣＣＨリソースがこの下りリンクグラントのリソースに対応したＰＵＣＣＨリソースである。さらに、基地局１０１は、この上りリンク制御チャネルリソースをモニタリングして、ＨＡＲＱ応答情報を抽出する。ここで、ＲＲＣコネクション確立（あるいは対象のセルが収容セルとして設定される）後に、専用ＲＲＣシグナリングを介してオフセットが送受信される。
【００８１】
また、端末１０２は、第１のＥＰＤＣＣＨ−ＰＲＢセット内のＳＳにおいて下りリンクグラントを検出した場合、この下りリンクグラントに関連する下りリンク送信データに対するＨＡＲＱ応答情報を、所定のオフセットを考慮して、下りリンクグラントを検出したＥＰＤＣＣＨリソースに対応するＰＵＣＣＨリソースを用いて報告する。一方、端末１０２は、第２のＥＰＤＣＣＨ−ＰＲＢセット内のＳＳにおいて下りリンクグラントを検出した場合、この下りリンクグラントに関連する下りリンク送信データに対するＨＡＲＱ応答情報を、個別シグナリングされたオフセットを考慮して、下りリンクグラントを検出したＥＰＤＣＣＨリソースに対応するＰＵＣＣＨリソースを用いて報告する。
【００８２】
言い換えると、基地局１０１は、ＥＰＤＣＣＨを第１のＥＰＤＣＣＨ−ＰＲＢセット内のＳＳあるいは第２のＥＰＤＣＣＨ−ＰＲＢセット内のＳＳに配置して端末１０２に通知する。端末１０２は、第１のＥＰＤＣＣＨ−ＰＲＢセット内のＳＳに配置されたＥＰＤＣＣＨと、第２のＥＰＤＣＣＨ−ＰＲＢセット内のＳＳに配置されたＥＰＤＣＣＨとをモニタリングし、下りリンクグラントを検出した場合、検出された下りリンクグラントに関連するＰＤＳＣＨにおける送信データを抽出し、抽出された送信データに対する応答情報を生成し、下りリンクグラントが検出されたリソースに対応するＰＵＣＣＨリソースに、応答情報をマッピングして、ＰＵＣＣＨを生成し、基地局１０１に報告する。ここで、応答情報をＰＵＣＣＨリソースにマッピングするに際し、第１のＥＰＤＣＣＨ−ＰＲＢセット内のＳＳでＥＰＤＣＣＨを受信したか、第２のＥＰＤＣＣＨ−ＰＲＢセット内のＳＳＥＰＤＣＣＨを受信したかにより、それぞれ所定のオフセット値、個別シグナリングされたオフセット値を用いる。基地局１０１は、下りリンクグラントを配置したリソースに対応するＰＵＣＣＨリソースにおいて、下りリンクグラントに関連するＰＤＳＣＨにおける送信データに対する応答情報がマッピングされたＰＵＣＣＨを抽出する。
【００８３】
さらに言い換えると、セルにおいて、基地局は、拡張物理下りリンク制御チャネルを第１の拡張物理下りリンク制御チャネル物理リソースブロックセットまたは第２の拡張物理下りリンク制御チャネル物理リソースブロックセットに配置して、端末に通知する。端末は、第１の拡張物理下りリンク制御チャネル物理リソースブロックセットおよび第２の拡張物理下りリンク制御チャネル物理リソースブロックセットにおいて拡張物理下りリンク制御チャネルをモニタリングし、物理下りリンク制御チャネルを検出した場合、検出された物理下りリンク制御チャネルに関連する物理下りリンク共用チャネルにおける送信データを抽出し、抽出された送信データに対する応答情報を生成し、第１の拡張物理下りリンク制御チャネル物理リソースブロックセットにおいて物理下りリンク制御チャネルを検出した場合、少なくとも物理下りリンク制御チャネルが検出された物理下りリンク制御チャネルリソースを構成する要素のインデクスと所定のオフセットとに応じて決定される物理上りリンク制御チャネルリソースに、第２の拡張物理下りリンク制御チャネル物理リソースブロックセットにおいて物理下りリンク制御チャネルを検出した場合、少なくとも物理下りリンク制御チャネルが検出された物理下りリンク制御チャネルリソースを構成する要素のインデクスと端末毎に個別に設定されるオフセットとに応じて決定される物理上りリンク制御チャネルリソースに、それぞれ応答情報をマッピングして、物理上りリンク制御チャネルを生成し、物理上りリンク制御チャネルを含む信号を送信する。基地局は更に、拡張物理下りリンク制御チャネルを第１の拡張物理下りリンク制御チャネル物理リソースブロックセットに配置して通知する場合、少なくとも拡張物理下りリンク制御チャネルを配置した拡張物理下りリンク制御チャネルリソースを構成する要素のインデクスと所定のオフセットとに応じて決定される物理上りリンク制御チャネルリソースにおいて、拡張物理下りリンク制御チャネルを第２の拡張物理下りリンク制御チャネル物理リソースブロックセットに配置して通知する場合、少なくとも拡張物理下りリンク制御チャネルを配置した拡張物理下りリンク制御チャネルリソースを構成する要素のインデクスと端末毎に個別に設定されるオフセットとに応じて決定される物理上りリンク制御チャネルリソースにおいて、それぞれ物理下りリンク制御チャネルに関連する物理下りリンク共用チャネルにおける送信データに対する応答情報がマッピングされた物理上りリンク制御チャネルを抽出する。
【００８４】
これにより、ＥＰＤＣＣＨを第１のＥＰＤＣＣＨ−ＰＲＢセット内のＳＳあるいは第２のＥＰＤＣＣＨ−ＰＲＢセット内のＳＳに配置して送受信する場合においても、動的に上りリンク制御チャネルを端末に割り当てることができる。そのため、効率的に上りリンク制御チャネルを用いることが可能となる。また、第１のＥＰＤＣＣＨ−ＰＲＢセット内のＳＳに対応するＰＵＣＣＨリソースは端末固有のパラメータに依存しないため、ＲＲＣコネクション確立（あるいは対象のセルが収容セルとして設定される）前に利用することができる。
【００８５】
なお、上記各実施形態では、端末がＥＰＤＣＣＨをＣＳＳで検出するか、ＵＳＳで検出するかに応じて、送信に用いるＰＵＣＣＨリソースを切り替えた。また、基地局がＰＤＣＣＨあるいはＥＰＤＣＣＨを第１のＥＰＤＣＣＨ−ＰＲＢセットに配置して送信するか、第２のＥＰＤＣＣＨ−ＰＲＢセットに配置して送信するかに応じて、受信するＰＵＣＣＨリソースを切り替えた。しかしながら、ＥＰＤＣＣＨ−ＰＲＢセットに代えて、ＤＣＩフォーマットに応じて切り替えるようにしても、上記各実施形態に近い効果を得ることができる。より具体的には、端末がＥＰＤＣＣＨとして、第１のＥＰＤＣＣＨ−ＰＲＢセットのＳＳで送信可能なＤＣＩフォーマットを検出するか、第２のＥＰＤＣＣＨ−ＰＲＢセットのＳＳでのみ送信可能なＤＣＩフォーマットを検出するかに応じて、送信に用いるＰＵＣＣＨリソースを切り替える。また、基地局がＥＰＤＣＣＨとして第１のＥＰＤＣＣＨ−ＰＲＢセットのＳＳで送信可能なＤＣＩフォーマットを送信するか、第２のＥＰＤＣＣＨ−ＰＲＢセットのＳＳでのみ送信可能なＤＣＩフォーマットを送信するかに応じて、受信するＰＵＣＣＨリソースを切り替える。
【００８６】
なお、上記各実施形態では、データチャネル、制御チャネル、ＰＤＳＣＨ、ＰＤＣＣＨおよび参照信号のマッピング単位としてリソースエレメントやリソースブロックを用い、時間方向の送信単位としてサブフレームや無線フレームを用いて説明したが、これに限るものではない。任意の周波数と時間で構成される領域および時間単位をこれらに代えて用いても、同様の効果を得ることができる。
【００８７】
また、上記各実施形態におけるシステム情報とは、マスター情報ブロックあるいはシステム情報ブロックを用いて報知される情報である。通常は、これらの情報は物理報知チャネルあるいはシステム情報用の下りリンクグラントで指定される物理下りリンク共用チャネルを用いて報知される（これらのチャネルを報知チャネルと呼ぶことができる）。しかしながら、これに限るものではない。セル間ハンドオーバが行われる場合は、ハンドオーバ元のセルにおける専用ＲＲＣシグナリングを用いて、ハンドオーバ先のセルのシステム情報を端末に設定することもできる。
【００８８】
また、上記各実施形態では、ＰＤＳＣＨ領域に配置される拡張された物理下りリンク制御チャネル１０３をＥＰＤＣＣＨと呼称し、従来の物理下りリンク制御チャネル（ＰＤＣＣＨ）との区別を明確にして説明したが、これに限るものではない。両方をＰＤＣＣＨと称する場合であっても、ＰＤＳＣＨ領域に配置される拡張された物理下りリンク制御チャネルとＰＤＣＣＨ領域に配置される従来の物理下りリンク制御チャネルとで異なる動作をすれば、ＥＰＤＣＣＨとＰＤＣＣＨとを区別する上記各実施形態と実質的に同じである。また、第１のＥＰＤＣＣＨ−ＰＲＢセットのＳＳと第２のＥＰＤＣＣＨ−ＰＲＢセットのＳＳに配置される拡張された物理下りリンク制御チャネル１０３をいずれもＥＰＤＣＣＨと呼称したが、これに限るものではない。これらを区別して、呼称してもよい。例えば、第１のＥＰＤＣＣＨ−ＰＲＢセットのＳＳに配置される拡張された物理下りリンク制御チャネル１０３をＦＰＤＣＣＨ（Ｆｕｒｔｈｅｒ−Ｅｎｈａｎｃｅｄ  ＰＤＣＣＨ）と呼称し、第２のＥＰＤＣＣＨ−ＰＲＢセットのＳＳに配置される拡張された物理下りリンク制御チャネル１０３をＥＰＤＣＣＨと呼称することができる。
【００８９】
なお、端末が基地局と通信を開始する際に、基地局に対して上記各実施形態で記載の機能が使用可能であるか否かを示す情報（端末能力情報、あるいは機能グループ情報）を基地局に通知することにより、基地局は上記各実施形態で記載の機能が使用可能であるか否かを判断することができる。より具体的には、上記各実施形態で記載の機能が使用可能である場合に、端末能力情報にそれを示す情報を含め、上記各実施形態で記載の機能が使用可能ではない場合には、端末能力情報に本機能に関する情報を含めないようにすればよい。あるいは、上記各実施形態で記載の機能が使用可能である場合に、機能グループ情報の所定ビットフィールドに１を立て、上記各実施形態で記載の機能が使用可能ではない場合には、機能グループ情報の所定ビットフィールドを０とするようにすればよい。
【００９０】
本発明に関わる基地局および端末で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ＲＯＭ、不揮発性メモリカード等）、光記録媒体（例えば、ＤＶＤ、ＭＯ、ＭＤ、ＣＤ、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【００９１】
また市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれる。また、上述した実施形態における基地局および端末の一部、または全部を典型的には集積回路であるＬＳＩとして実現してもよい。基地局および端末の各機能ブロックは個別にチップ化してもよいし、一部、または全部を集積してチップ化してもよい。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能である。
【００９２】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【００９３】
本発明は、無線基地局装置や無線端末装置や無線通信システムや無線通信方法に用いて好適である。
【符号の説明】
【００９４】
１０１  基地局
１０２  端末
１０３  拡張された物理下りリンク制御チャネル
１０４  下りリンク送信データ
１０５  物理上りリンク制御チャネル
４０１  コードワード生成部
４０２  下りリンクサブフレーム生成部
４０３  物理下りリンク制御チャネル生成部
４０４  ＯＦＤＭ信号送信部
４０５、５１１  送信アンテナ
４０６、５０１  受信アンテナ
４０７  ＳＣ−ＦＤＭＡ信号受信部
４０８  上りリンクサブフレーム処理部
４０９  物理上りリンク制御チャネル抽出部
４１０、５０６  上位層
５０２  ＯＦＤＭ信号受信部
５０３  下りリンクサブフレーム処理部
５０４  物理下りリンク制御チャネル抽出部
５０５  コードワード抽出部
５０７  応答情報生成部
５０８  上りリンクサブフレーム生成部
５０９  物理上りリンク制御チャネル生成部
５１０  ＳＣ−ＦＤＭＡ信号送信部
２３０１  基地局
２３０２  端末
２３０３  物理下りリンク制御チャネル
２３０４  下りリンク送信データ
２３０５  物理上りリンク制御チャネル
【図１】
2014136682.tif 000003
【図２】
2014136682.tif 000004
【図３】
2014136682.tif 000005
【図４】
2014136682.tif 000006
【図５】
2014136682.tif 000007
【図６】
2014136682.tif 000008
【図７】
2014136682.tif 000009
【図８】
2014136682.tif 000010
【図９】
2014136682.tif 000011
【図１０】
2014136682.tif 000012
【図１１】
2014136682.tif 000013
【図１２】
2014136682.tif 000014
【図１３】
2014136682.tif 000015
【図１４】
2014136682.tif 000016
【図１５】
2014136682.tif 000017
【図１６】
2014136682.tif 000018
【図１７】
2014136682.tif 000019
【図１８】
2014136682.tif 000020
【図１９】
2014136682.tif 000021
【図２０】
2014136682.tif 000022
【図２１】
2014136682.tif 000023
【図２２】
2014136682.tif 000024
【図２３】
2014136682.tif 000025
【国際調査報告】
2014136682.tif 000026
2014136682.tif 000027
2014136682.tif 000028